(57)【要約】      （修正有）【課題】受信したパイロット信号情報により無線通信プロトコルを提供可能とする。【解決手段】移動無線通信装置は、無線通信技術ファミリーに係る所定の無線物理チャネルを介して、少なくとも１つの他の無線通信技術ファミリーの少なくとも１つの無線通信技術に利用可能性に関する利用可能性情報を含む無線パイロット情報を受信するように構成された受信器を備える。移動無線通信装置は、受信された上記無線パイロット情報に基づいて、少なくとも１つの上記他の無線通信技術ファミリーの少なくとも１つの無線通信技術の少なくとも１つの無線通信プロトコルを提供するように構成された無線通信プロトコルコントローラをさらに備える。【選択図】図１
2010220210.tif 000002
【特許請求の範囲】
【請求項１】
無線通信技術ファミリーに係る、無線の所定の物理チャネルを介して、少なくとも１つの他の無線通信技術ファミリーの少なくとも１つの無線通信技術の利用可能性に関する利用可能性情報を含む無線パイロット情報を受信するように構成された受信器と、
受信された上記無線パイロット情報に基づいて、少なくとも１つの上記他の無線通信技術ファミリーの少なくとも１つの無線通信技術の少なくとも１つの無線通信プロトコルを提供するように構成された無線通信プロトコルコントローラとを備える、移動無線通信装置。
【請求項２】
上記無線通信プロトコルコントローラは、プログラマブルコントローラを含む、請求項１に記載の移動無線通信装置。
【請求項３】
受信された上記無線パイロット情報を復号するように構成された復号器をさらに備える、請求項１に記載の移動無線通信装置。
【請求項４】
上記復号器は、受信された上記無線パイロット情報を復号するように構成された少なくとも１つの無線ベースバンド回路を備える、請求項３に記載の移動無線通信装置。
【請求項５】
上記所定の物理チャネルは、コグニティブパイロットチャネルである、請求項１に記載の移動無線通信装置。
【請求項６】
上記所定の物理チャネルは、非コグニティブパイロットチャネルであり、上記無線パイロット情報は、仮想コグニティブパイロットチャネルを介して受信される、請求項１に記載の移動無線通信装置。
【請求項７】
少なくとも１つの上記無線通信技術ファミリーおよび少なくとも１つの上記他の無線通信技術ファミリーのうちの少なくとも１つは、短距離無線通信技術ファミリーと、メトロポリタンエリアシステム無線通信技術ファミリーと、セルラー方式広域無線通信技術ファミリーとから成る無線通信技術ファミリーのグループから選択された、少なくとも１つの無線通信技術ファミリーを含む、請求項１に記載の移動無線通信装置。
【請求項８】
上記受信器または上記無線通信プロトコルコントローラに電力を供給するように構成された電源スイッチをさらに備える、請求項１に記載の移動無線通信装置。
【請求項９】
上記無線通信プロトコルコントローラが処理を行っている間、上記電源スイッチを制御して上記受信器への電力供給を停止するように構成された電源スイッチコントローラをさらに備える、請求項８に記載の移動無線通信装置。
【請求項１０】
さらなる受信器をさらに備えており、
上記さらなる受信器は、上記無線通信プロトコルコントローラに結合され、上記さらなる受信器の受信器特性が、上記無線通信プロトコルコントローラによって制御され得る、請求項１に記載の移動無線通信装置。
【請求項１１】
上記無線通信プロトコルコントローラは、少なくとも１つの上記他の無線通信技術ファミリーの少なくとも１つの無線通信技術の少なくとも１つの無線通信プロトコルであって、無線物理通信プロトコル層の無線通信プロトコルと、媒体アクセス制御の無線通信プロトコル層の無線通信プロトコルと、ネットワーク無線通信プロトコル層の無線通信プロトコルとからなる無線通信プロトコルのグループから選択される、少なくとも１つの無線通信プロトコルを提供するように構成されている、請求項１に記載の移動無線通信装置。
【請求項１２】
上記受信器は、少なくとも１つの上記他の無線通信技術ファミリーの少なくとも１つの無線通信技術の少なくとも１つの無線通信プロトコルの少なくとも一部を受信するように構成されている、請求項１に記載の移動無線通信装置。
【請求項１３】
少なくとも１つの上記他の無線通信技術ファミリーの少なくとも１つの無線通信技術の少なくとも１つの無線通信プロトコルの少なくとも一部を実装するプログラムコードを、格納するように構成された第１のメモリをさらに備える、請求項１に記載の移動無線通信装置。
【請求項１４】
上記無線通信プロトコルコントローラに結合された作業メモリをさらに備え、
上記作業メモリは、上記無線通信プロトコルコントローラが、受信された上記無線パイロット情報に基づいて、少なくとも１つの上記他の無線通信技術ファミリーの少なくとも１つの無線通信技術の少なくとも１つの無線通信プロトコルを提供するために用いるプログラムコードを格納している、請求項１に記載の移動無線通信装置。
【請求項１５】
少なくとも１つの上記他の無線通信技術群の少なくとも１つの無線通信技術の少なくとも１つの無線通信プロトコルの少なくとも一部を実施するプログラムコードを、格納するように構成された第１のメモリと、
上記無線通信プロトコルコントローラに結合された作業メモリとをさらに備え、
上記作業メモリは、上記無線通信プロトコルコントローラが、受信された上記無線パイロット情報に基づいて、少なくとも１つの上記他の無線通信技術群の少なくとも１つの無線通信技術の少なくとも１つの無線通信プロトコルを提供するために用いるプログラムコードを格納しており、
上記無線通信プロトコルコントローラは、少なくとも１つの上記他の無線通信技術ファミリーの少なくとも１つの無線通信技術の少なくとも１つの無線通信プロトコルのプログラムコードの必要な分を、上記第１のメモリから上記作業メモリ内にロードするように構成されている、請求項１に記載の移動無線通信装置。
【請求項１６】
所定のパイロット情報だけが上記無線通信プロトコルコントローラに転送されるように、上記受信器を制御するように構成された受信器コントローラをさらに備える、請求項１に記載の移動無線通信装置。
【請求項１７】
上記受信器によって受信された信号以外の無線通信信号のために走査するように構成された無線スキャナをさらに備える、請求項１に記載の移動無線通信装置。
【請求項１８】
無線通信技術ファミリーに係る所定の物理無線チャネルを介して、少なくとも１つの他の無線通信技術ファミリーの少なくとも１つの無線通信技術の利用可能性に関する利用可能性情報を含む無線パイロット情報を受信する工程と、
受信された上記無線パイロット情報に基づいて、少なくとも１つの上記他の無線通信技術ファミリーの少なくとも１つの無線通信技術の少なくとも１つの無線通信プロトコルを提供する工程とを含む、移動無線通信装置の制御方法。
【請求項１９】
所定の無線物理チャネルを介して、コグニティブパイロットチャネル情報を受信するように構成されたコグニティブパイロットチャネル受信器と、
無線信号の受信の所定の受信基準が満たされているか否かを判定するように構成された判定回路と、
無線信号の受信の上記所定の受信基準が満たされているか否かに基づいて、上記コグニティブパイロットチャネル受信器を起動するように構成された、コグニティブパイロットチャネル受信器起動部とを備える、移動無線通信装置。
【請求項２０】
上記判定回路は、受信された上記無線信号の受信の質に関する所定の受信基準が満たされているか否かを判定するように構成されており、
上記コグニティブパイロットチャネル受信器起動部は、受信された上記無線信号の受信の質が受信の質の所定の閾値よりも低いか否かに基づいて、上記コグニティブパイロットチャネル受信器を起動するように構成されている、請求項１９に記載の移動無線通信装置。
【請求項２１】
異なる複数の無線通信技術の各ファミリーから選択された少なくとも１つの無線通信技術ファミリーの少なくとも１つの無線通信技術の少なくとも１つの無線通信プロトコルを提供するように構成された、無線通信プロトコルコントローラをさらに備える、請求項１９に記載の移動無線通信装置。
【請求項２２】
上記無線通信プロトコルコントローラは、プログラマブルコントローラを含む、請求項２１に記載の移動無線通信装置。
【請求項２３】
受信された上記コグニティブパイロットチャネル情報を復号するように構成されたコグニティブパイロットチャネル復号器をさらに備える、請求項１９に記載の移動無線通信装置。
【請求項２４】
少なくとも１つの上記無線通信技術ファミリーは、短距離無線通信技術ファミリーと、メトロポリタンエリアシステム無線通信技術ファミリーと、セルラー方式広域無線通信技術ファミリーとから成る無線通信技術ファミリーのグループから選択された、少なくとも１つの無線通信技術ファミリーを含む、請求項２１に記載の移動無線通信装置。
【請求項２５】
所定の無線物理チャネルを介して、コグニティブパイロットチャネル情報を受信する工程と、
無線信号の受信の所定の受信基準が満たされているか否かを判定する工程と、
無線信号の受信の上記所定の受信基準が満たされているか否かに基づいて、コグニティブパイロットチャネル受信器を選択的に起動する工程とを含む、移動無線通信装置の制御方法。
【発明の詳細な説明】
【技術分野】
【０００１】
本発明の各実施形態は、概して、移動無線通信装置および移動無線通信装置の制御方法に関する。
【背景技術】
【０００２】
通常、コグニティブ無線パラダイムおよびソフトウェア無線パラダイムに基づいたセルラー方式通信システムは、ワイヤレス無線構造基盤のスタンダードと共に、特別に確保されたチャネルに送信されるコグニティブパイロットチャネル（ＣＰＣ）の存在を開発してきている。
【０００３】
上記開発では、コグニティブパイロットチャネル（例えば、ＥＴＳＩ ＲＲＳ（European Telecommunications Standards Institute Reconfigurable Radio Systems）標準化グループ内で現在検討中）は、専用の物理チャネルに対し、コンテキスト情報を送り出している。専用の物理チャネルは、（携帯電話が全ての可能性を走査しなくても）、様々なユーザ装置がどの通信規格を利用可能であるかを知ることを支援している。
【０００４】
通常、ユーザには、セルラー方式移動無線通信システム（セルラー方式広域無線通信システムとも呼ばれる）、メトロポリタンエリア移動無線通信システム（メトロポリタンエリアシステム無線通信システムとも呼ばれる）、および／または、短距離移動無線通信システム（短距離無線通信システムとも呼ばれる）の存在が知らされ、この状況に基づいて、ユーザ装置（再構成可能なＳＤＲ(ソフトウェア無線：Software Defined Radio）装置と想定される）は、該装置の再構成を選択することが可能である。
【０００５】
第２の種類のコグニティブパイロットチャネルは、いわゆる仮想コグニティブパイロットチャネル（Ｖ−ＣＰＣ）である。このＶ−ＣＰＣは、配置されたアクセス技術、例えばセルラー方式広域移動無線通信システム、メトロポリタンエリア移動無線通信システム、および／または、短距離移動無線通信システムなどを介して、ユーザに送信される。Ｖ−ＣＰＣでは、他の構造基盤を配置する必要はないが、ＵＥ（ユーザ装置）は、Ｖ−ＣＰＣに含まれるコンテキスト情報にアクセス可能になる前につながる第１の通信接続を有している必要がある。
【０００６】
従来、ＳＤＲ携帯電話装置は、再構成可能なＳＤＲコア（典型的には、最大尤度復号器、フィルターなどといったアクセラレータによって支援される多数のＳＩＭＤ（単一命令多重データ：Single-Instruction-Multiple-Data）プロセッサコア）を含む。従来の形態の中には、再構成可能なトランシーバが設けられている形態もある。
【発明の概要】
【発明が解決しようとする課題】
【０００７】
このようなアーキテクチャでは、携帯電話装置は、通常、（潜在的には利用可能な）コグニティブパイロットチャネルを利用していない。むしろ、携帯電話装置は、通常、利用可能な全周波数帯域を走査して、利用可能な全てのシステム構成の存在を確認している。標準的な方法では、様々な無線通信システムの周波数分配は、固定のものとされている。通常、全ての可能性を走査することは、いまだに、莫大な時間がかかり、非常に多くの電力を消費する。
【０００８】
将来的には、自由度数が上昇するため、周波数分配は、個々の無線通信システムにとって固定されたものにはならず、走査工程中の想定される可能性の数は大幅に増大する。このような状態では、想定可能な順列の全てを走査することは、いわば不可能である。
【課題を解決するための手段】
【０００９】
上記の課題を解決するために、本発明に係る移動無線通信装置は、無線通信技術ファミリーに係る所定の無線物理チャネルを介して、少なくとも１つの他の無線通信技術ファミリーの少なくとも１つの無線通信技術の利用可能性に関する利用可能性情報を含む無線パイロット情報を受信するように構成された受信器と、受信された上記無線パイロット情報に基づいて、少なくとも１つの上記他の無線通信技術ファミリーの少なくとも１つの無線通信技術の少なくとも１つの無線通信プロトコルを提供するように構成された無線通信プロトコルコントローラとを備えることを特徴としている。
【図面の簡単な説明】
【００１０】
図面では一般に、異なる図面中の同様の参照番号は、同一の部材を示している。図面は、必ずしも原寸に比例して示されているのではなく、様々な実施形態の原理を説明することに重点が置かれている。以下の説明では、次の図面を参照しながら様々な実施形態について説明する。
【図１】一実施形態に係る無線通信システムを示す概略平面図である。
【図２】一実施形態に係る無線通信システムの一部を示す模式図である。
【図３】一実施形態に係る無線通信装置を示すブロック図である。
【図４】他の一実施形態に係る無線通信装置を示すブロック図である。
【図５】一実施形態に係る無線通信装置の制御方法を示すフローチャートである。
【図６】他の一実施形態に係る無線通信装置を示すブロック図である。
【図７】さらに他の一実施形態に係る無線通信装置を示すブロック図である。
【図８】一実施形態に係る移動無線通信装置の制御方法を示すフローチャートである。
【図９】他の一実施形態に係る無線通信装置を示すブロック図である。
【図１０】さらに他の一実施形態に係る無線通信装置を示すブロック図である。
【図１１】一実施形態に係る移動無線通信装置の制御方法を示すフローチャートである。
【発明を実施するための形態】
【００１１】
以下の詳細な説明は、添付の図面に関するものである。図面は、具体的な詳細、および、本発明が実施され得る実施形態を詳細に説明するために示すものである。これらの実施形態は、当業者が本発明を実施することが可能な程度に十分に詳しく記載されている。他の実施形態を用いてもよく、本発明の権利範囲から逸脱しない範囲内にて、構造的変更、論理的変更、および電気的変更を行ってもよい。いくつかの実施形態は、必ずしも相互排他的なものではなく、いくつかの実施形態を他の１つまたは複数の実施形態と組み合わせて、新たな実施形態を形成することも可能である。
【００１２】
一実施形態において、「回路」とは、任意の種類のロジック実装エンティティとして理解されよう。ロジック実装エンティティは、ハードウェア、ソフトウェア、ファームウェア、またはこれらの任意の組み合わせであってよい。従って、一実施形態では、「回路」とは、配線で接続された論理回路またはプログラマブル論理回路であってよい。
【００１３】
プログラマブル論理回路の例には、プログラマブルプロセッサ、例えばマイクロプロセッサ（例えば複数命令セットコンピュータ（ＣＩＳＣ）プロセッサ、または縮小命令セットコンピュータ（ＲＩＳＣ）プロセッサ）が挙げられる。「回路」は、プロセッサによって実装すなわち実行されるソフトウェアであってもよい。プロセッサの例には、任意の種類のコンピュータプログラム、例えばＪａｖａ(登録商標）などの仮想計算機コードを用いたコンピュータプログラムなどが挙げられる。以下にさらに詳細に説明する、他の任意の種類の各機能の形態も、他の一実施形態に係る「回路」として理解されよう。
【００１４】
「結合」または「接続」という各言葉は、直接的な「結合」または直接的な「接続」だけでなく、間接的な「結合」または間接的な「接続」も含むことを意図するものである。
【００１５】
「プロトコル」という言葉は、通信規定の任意の層の一部を実装するために提供された、ソフトウェアの任意の部分を含むことを意味している。「プロトコル」には、次の層のうちの１つまたは複数の層の機能性が含まれる。これらは、物理層（層１）、データリンク層（層２）、ネットワーク層（層３）、あるいは、上述の層または任意の上位層の他の任意の副層である。
【００１６】
図１は、一実施形態に係る無線通信システム１００を示す図である。図１は、解説のために、コグニティブパイロットチャネルを含む異機種環境のワイヤレス無線環境を示している。
【００１７】
いくつかの実施形態では、コグニティブ無線パラダイムおよびソフトウェア無線パラダイムに基づくセルラー方式無線通信システムは、標準的なワイヤレス無線構造基盤と、特別に確保されたチャネル上に送信され得るコグニティブパイロットチャネル（ＣＰＣ）の存在とを利用している。これについては、図１に示されている。図１は、受信可能領域１０２を示しており、受信可能領域１０２では、１つまたは複数のコグニティブパイロットチャネル（ＣＰＣ）信号が存在しており、該信号は、受信可能領域１０２内に位置する無線通信端末装置（図示しない）によって受信されることが可能である。図１では、受信可能領域１０２は円形領域として示されているが、受信可能領域１０２は、任意の形状をしていてもよく、本実施形態では、簡潔にするために円形に示したに過ぎないことに留意されたい。
【００１８】
いくつかの実施形態では、受信可能領域１０２内において無線通信サービスを提供する、異なる複数の無線通信技術ファミリーの異なる複数の無線通信技術が提供されていると想定される。他の実施形態では、上記異なる複数の無線通信技術のうちのいくつかは、受信可能領域１０２の外側に提供されていてもよいことに留意されたい。一例として、図１に示すように、異なる３つの無線通信技術ファミリーのうちの異なる無線通信技術が提供される。
【００１９】
様々な無線通信技術ファミリーの例としては、１つまたは複数の各無線特性に基づいて分類され得る１つまたは複数の無線通信技術のグループが挙げられる。無線特性の例としては、例えば１つまたは複数の無線通信技術のぞれぞれによって提供される無線業務の範囲、または無線信号が符号化および／または（例えばエアーインターフェースを介して）送信される方法が挙げられる。
【００２０】
一例として、無線通信技術ファミリーには、次のものが挙げられる。
【００２１】
−短距離無線通信技術ファミリー（例えばブルートゥース無線通信技術、超広帯域（ＵＷＢ）無線通信技術、および／または、ワイヤレスローカルエリアネットワーク無線通信技術（例えばＩＥＥＥ ８０２．１１（例えばＩＥＥＥ ８０２．１１ｎ）無線通信規格に基づく）、ＩｒＤＡ（赤外線通信協会）、Ｚ−Ｗａｖｅ、およびジグビー、ＨｉｐｅｒＬＡＮ／２（高性能無線ＬＡＮ：５ＧＨｚに標準化されたＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）。
【００２２】
−メトロポリタンエリアシステム無線通信技術ファミリー（例えば、マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定またはＷｉＭａｘ移動無線通信規格に基づく）、ＷｉＰｒｏ、ＨｉｐｅｒＭＡＮ（高性能無線メトロポリタンエリアネットワーク）、および／または、ＩＥＥＥ ８０２．１６ｍ アドバンスド・エアーインターフェース（Advanced Air Interface）を含んでよい）。
【００２３】
−セルラー方式広域無線通信技術ファミリーは、以下のものを含んでよい。例えば、グローバル・システム・フォー・モバイル・コミュニケーションズ（ＧＳＭ：Global System for Mobile Communications）無線通信技術、汎用パケット無線サービス（ＧＰＲＳ：General Packet Radio Service）無線通信技術、ＧＳＭ展開のために補強されたデータ速度（ＥＤＧＥ：Enhanced Data Rates for GSM Evolution）の無線通信技術、および／または、第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、ＣＤＭＡ２０００（符号分割多重アクセス２０００）、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（��ィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【００２４】
短距離無線通信技術ファミリーは、次の短距離無線通信技術のサブファミリーに分割可能である。
【００２５】
パーソナルエリアネットワーク（ワイヤレスＰＡＮ）は、無線通信のサブファミリー（例えばＩｒＤＡ（赤外線通信協会）、ブルートゥース、ＵＷＢ、Ｚ-Ｗａｖｅ、およびジグビー）を含んでよい。
【００２６】
ワイヤレスローカルエリアネットワーク（Ｗ-ＬＡＮ）は、無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput））を含んでよい。
【００２７】
メトロポリタンエリアシステム無線通信技術ファミリーは、次のメトロポリタンエリアシステム無線通信技術ののサブファミリーに分割され得る。
【００２８】
大学環境に特化されたワイヤレスキャンパスエリアネットワーク（Ｗ-ＣＡＮ）は、無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェース）を含むことが可能である。
【００２９】
かつ、ワイヤレスメトロポリタンエリアネットワーク（Ｗ-ＭＡＮ）は、無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェース）を含むことが可能である。
【００３０】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【００３１】
また、いくつかの実施形態では、異なる無線通信技術ファミリーの例として、次のものが挙げられる。
【００３２】
無線リソースへのアクセスがランダムに提供される無線通信技術を含む少なくとも１つの無線通信技術ファミリーとして、例えば、ブルートゥース無線通信技術、ＩｒＤＡ（赤外線通信協会）無線通信技術、Ｚ−Ｗａｖｅ無線通信技術、ジグビー無線通信技術、超広帯域（ＵＷＢ）無線通信技術、および／または、ワイヤレスローカルエリアネットワーク無線通信技術（例えばＩＥＥＥ ８０２．１１無線通信規格、ＨｉｐｅｒＬＡＮ/２（高性能無線ＬＡＮ；５ＧＨｚに標準化された、ＡＴＭに似た別の技術）無線通信規格、ＩＥＥＥ ８０２．１１ａ（５ ＧＨｚ）無線通信規格、ＩＥＥＥ ８０２．１１ｇ（２．４ ＧＨｚ）無線通信規格、ＩＥＥＥ ８０２．１１ｎ無線通信規格、ＩＥＥＥ ８０２．１１ＶＨＴ（ＶＨＴ＝Very High Throughput）に基づく）がある。
【００３３】
および／または、無線リソースへのアクセスが中央制御されて提供される無線通信技術を含む少なくとも１つの無線通信技術ファミリーとして、例えば、マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定またはＷｉＭａｘ移動無線通信規格に基づく）、および／または、ＷｉＰｒｏ、ＨｉｐｅｒＭＡＮ（高性能無線メトロポリタンエリアネットワーク）、ＩＥＥＥ ８０２．１６ｍ アドバンスド・エアーインターフェース、および／または、グローバル・システム・フォー・モバイル・コミュニケーションズ（ＧＳＭ：Global System for Mobile Communications）無線通信技術、汎用パケット無線サービス（ＧＰＲＳ：General Packet Radio Service）無線通信技術、ＧＳＭ展開のために補強されたデータ速度（ＥＤＧＥ：Enhanced Data Rates for GSM Evolution）無線通信技術、および／または、第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、ＣＤＭＡ２０００（符号分割多重アクセス２０００）、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）を含んでよい。
【００３４】
図１に示すように、受信可能領域１０２の内部には、第１の無線通信技術ファミリー（例えばセルラー方式広域無線通信技術ファミリー）の一無線通信技術である、例えばＵＭＴＳが、複数のＵＭＴＳ基地局（以下ではノードＢとも呼ぶ）１０４によって提供されている。ここで各基地局１０４は、各ＵＭＴＳ移動無線セル１０６の橋渡しをしており、各ＵＭＴＳ移動無線セル１０６では、各ＵＭＴＳ基地局１０４から送信された無線信号が受信可能である。
【００３５】
また、受信可能領域１０２の内部には、第２の無線通信技術ファミリー（例えばメトロポリタンエリアシステム無線通信技術ファミリー）の一無線通信技術である、例えばＩＥＥＥ ８０２．１６e（例えばＷｉＭａｘ）またはＩＥＥＥ ８０２．１６ｍ アドバンスド・エアーインターフェースが、複数のＷｉＭａｘ基地局１０８によって提供されている。
【００３６】
本実施形態では、各ＷｉＭａｘ基地局１０８は、各ＷｉＭａｘ移動無線セル１１０の橋渡しをしており、各ＷｉＭａｘ移動無線セル１１０では、各ＷｉＭａｘ基地局１０８から送信された無線信号が受信可能である。さらに、受信可能領域１０２の内部では、第３の無線通信技術ファミリー（例えば短距離無線通信技術ファミリー）の一無線通信技術である、例えば、ＷＬＡＮが、複数のＷＬＡＮアクセスポイント１１２によって提供されている。
【００３７】
本実施例では、各ＷＬＡＮアクセスポイント１１２は、各ＷＬＡＮ移動無線セル１１４の橋渡しをしており、各ＷＬＡＮ移動無線セル１１４では、各ＷＬＡＮアクセスポイント１１２から送信された無線信号が受信可能である。
【００３８】
いくつかの実施形態では、１つまたは複数の移動無線通信端末装置（図１には図示していない）が、受信可能領域１０２の内部に配置されていてよく、コグニティブパイロットチャネル信号を受信可能である。コグニティブパイロットチャネル信号は、本実施例では、その時にどの無線通信技術ファミリーのうちのどの無線通信技術が利用可能であるかに関する情報を含んでいることが可能である。これについては、以下により詳細に説明する。
【００３９】
いくつかの実施形態では、同一の無線通信技術ファミリーの異なる複数の無線通信技術が、受信可能領域１０２内に提供されていてもよいことに留意されたい。
【００４０】
さらに、（同一または異なる無線通信技術ファミリーのうちの）利用可能な様々な無線通信技術が同時に提供されていてもよい。これは、換言すると、受信可能領域１０２の内部において、複数の無線通信技術の受信可能領域が重なり合っていてもよいということであり、１つの移動無線通信端末装置には、異なる複数の無線通信技術が同時に利用可能であり、そのため、移動無線通信端末装置は、例えば有用なデータを送受信するために実際に使用する、利用可能な１つまたは複数の無線通信技術を選択可能であるということを意味している。
【００４１】
図２は、一実施形態に係る無線通信システムの一部２００を示す図である。
【００４２】
図２に示すように、かつ、ＩＥＥＥ ＳＣＣ ４１/ＩＥＥＥ Ｐ１９００．４ 標準化グループ内から提供されているＣＰＣまたは仮想ＣＰＣ（Ｖ-ＣＰＣ）の定義によれば、ＵＥにコンテキスト情報を配信するために、「再構成管理の無線イネイブラー（ＲＥ）」が設けられている。これについては以下にさらに詳細に説明する。図２に示すように、ネットワーク再構成管理（ＮＲＭ）装置２０２が、ネットワーク側のエンティティ、例えばコアネットワーク内のエンティティとして設けられている。
【００４３】
上記ネットワーク再構成管理（ＮＲＭ）装置２０２は、ネットワーク構造２０４を介して、様々な無線通信技術ファミリーの異なる複数の無線通信技術に結合されている。一例として、ネットワーク構造２０４は、短距離無線通信技術ファミリーの通信技術の一例であるＩＥＥＥ ８０２．１１ｎ無線通信規格に基づく第１のアクセスポイント２０６と、ＩＥＥＥ ８０２．１１ｎ無線通信規格に基づく第２のアクセスポイント２０８とに結合されている。
【００４４】
また、ネットワーク構造２０４は、メトロポリタンエリアシステム無線通信技術ファミリーの無線通信技術の一例であるＷｉＭａｘアクセスポイント２１０に結合されていてもよい。さらに、ネットワーク構造２０４は、セルラー方式広域無線通信技術ファミリーの無線通信技術の一例である第１のＵＭＴＳノードＢ２１２と、第２のＵＭＴＳノードＢ２１４とに結合されていてもよい。第２のＵＭＴＳノードＢ２１４は、追加的または選択的に、ＣＰＣ信号またはＶ-ＣＰＣ信号を送信、例えばブロードキャスト（放送のように、不特定多数に対して無差別に送信）するように構成されていてよい（図２では左右矢印２１６によって表されている）。
【００４５】
他の一実施形態では、第２のＵＭＴＳノードＢ２１４は、ＣＰＣ信号またはＶ-ＣＰＣ信号を送信、例えばブロードキャストするように構成された他の任意の基地局装置と置き換えられていてもよい。一般に、他の実施形態では、様々な無線通信技術ファミリーの異なる無線通信技術のアクセスポイントまたは基地局を、任意の数だけ設けてよい。
【００４６】
以下にさらに詳細に説明するように、一実施形態では、ＣＰＣ信号またはＶ-ＣＰＣ信号を受信および復号するように構成された複数の無線通信端末装置２１８・２２０が設けられていると想定される。また、図２に示すように、無線通信端末装置２１８・２２０は、受信可能領域２２２内に位置しており、送信されたＣＰＣ信号またはＶ-ＣＰＣ信号を受信可能であると想定される。本実施形態では、さらに、無線通信端末装置２１８・２２０が、ＷｉＭａｘアクセスポイント２１０の受信可能領域内に位置しており、ＷｉＭａｘアクセスポイント２１０によって送信されたＷｉＭａｘ信号を受信可能であると想定される。
【００４７】
以下により詳細に説明するように、いくつかの実施形態では、記載するアーキテクチャは、コグニティブパイロットチャネル受信モジュールおよび対応する論理回路を集積することによって高機能化させることが可能である。該対応する論理回路は、（送信されたＣＰＣ信号またはＶ-ＣＰＣ信号内に提供された）無線通信端末装置２１８・２２０内の固有の情報を利用する論理回路である。
【００４８】
以下により詳細に説明するように、各無線通信端末装置２１８・２２０は、端末再構成管理（ＴＲＭ）回路２２４・２２６を備えていてよい。これらのＴＲＭ回路２２４・２２６は、ＩＥＥＥ ＳＣＣ ４１/ＩＥＥＥ Ｐ１９００．４に基づく再構成管理のいわゆる無線イネイブラーの部材である。上記ＴＲＭ回路は、コンテキスト情報、およびＣＰＣによって提供された方針情報を受け取ると共に、受信されたコンテキスト情報からの知識（および可能な場合はさらなる検知結果）を利用することについての再構成決定を、これらの（典型的には、利用可能な選択を限定する）方針に従って、受け取る。
【００４９】
いくつかの実施形態では、コグニティブパイロットチャネル（例えば、ＥＴＳＩ ＲＲＳ標準化グループ内で検討中）は、専用の物理チャネルに関するコンテキスト情報をブロードキャストする。該コンテキスト情報は、様々なユーザ装置（例えば無線通信端末装置２１８・２２０）が、どの無線通信規格を利用可能であるかを知り（携帯電話（例えば無線通信端末装置２１８・２２０）が全ての可能性を走査する必要はない）、ユーザのニーズに最も適した無線通信端末装置の構成を選択することを支援する。
【００５０】
通常、ユーザ（および例えば各無線通信端末装置）は、セルラー方式移動無線通信システム（セルラー方式広域無線通信システムとも呼ばれる）、メトロポリタンエリア移動無線通信システム（メトロポリタンエリアシステム無線通信システムとも呼ばれる）、および／または、短距離移動無線通信システム（短距離無線通信システムとも呼ばれる）の存在について知らされ、この状況に基づいて、ユーザ装置（再構成可能なＳＤＲ(ソフトウェア無線：Software Defined Radio)装置と想定される）は、その装置の再構成を選択することが可能である。この選択は、一定の方針、例えばサービスプロバイダの方針、ユーザ端末の方針、またはユーザ選択の方針によって課される制約に応じて決定される。
【００５１】
いくつかの実施形態において提供され得る第２の種類のコグニティブパイロットチャネルは、いわゆる仮想グニティブパイロットチャネル（Ｖ-ＣＰＣ）である。このＶ-ＣＰＣは、配置された無線アクセス技術、例えばセルラー方式広域無線通信システム、メトロポリタンエリア無線通信システム、および／または、短距離無線通信システムなどを介して、ユーザに送信される。Ｖ-ＣＰＣでは、他の構造基盤を配置する必要はないが、ＵＥ（ユーザ装置）は、Ｖ−ＣＰＣに含まれるコンテキスト情報にアクセス可能になる前につながる第１の通信接続を有している必要がある。
【００５２】
いくつかの実施形態は、ＣＰＣ/Ｖ-ＣＰＣに関連するビルディングブロックをＳＤＲ携帯電話の構成に組み込む方法に関する課題を取り扱っている。
【００５３】
図３は、一実施形態に係る移動無線通信装置３００（例えば無線通信端末装置２１８・２２０の一形態）を示す図である。
【００５４】
いくつかの実施形態では、移動無線通信装置３００は、受信器３０２を有していてよい。受信器３０２は、一無線通信技術ファミリーに係る所定の無線物理チャネルを介して無線パイロット情報を受信するように構成されている。ここで、無線パイロット情報は、他の少なくとも１つの無線通信技術ファミリーの少なくとも１つの無線通信技術の利用可能性に関する利用可能性情報を含んでいてよい。
【００５５】
移動無線通信装置３００は、さらに、無線通信プロトコルコントローラ３０４を有していてよい。無線通信プロトコルコントローラ３０４は、受信された無線パイロット情報に基づいて、少なくとも１つの上記他の無線通信技術ファミリーの少なくとも１つの無線通信技術の少なくとも１つの無線通信プロトコルを提供するように構成されている。
【００５６】
受信器３０２および無線通信プロトコルコントローラ３０４は、例えば、ケーブルまたはコンピュータバスといった電気接続３０６、または他の任意の好適な電気接続を介して互いに結合されており、電気信号を交換することが可能なものである。
【００５７】
本実施形態の一形態では、無線通信プロトコルコントローラ３０４は、プログラマブルコントローラ、例えばマイクロプロセッサ（例えば複数命令セットコンピュータ（ＣＩＳＣ）マイクロプロセッサまたは縮小命令セットコンピュータ（ＲＩＳＣ）マイクロプロセッサ）を含んでいてもよいし、該プログラマブルコントローラによって形成されていてもよい。
【００５８】
図４は、他の一実施形態に係る無線通信装置４００を示す図である。本実施形態において、図４の無線通信装置４００は、図３の移動無線通信装置３００に加えて、復号器４０２を有していてよい。復号器４０２は、受信された（例えば受信器３０２を介して受信された）パイロット情報を復号するように構成されている。復号器４０２は、受信されたパイロット情報を復号するように構成された少なくとも１つの無線ベースバンド回路４０４を備えていてよい。
【００５９】
復号器４０２は、無線通信プロトコルコントローラ３０４と同じチップ上（例えば同じプロセッサ内、例えば、同じマイクロプロセッサ内）に構成されていてもよいし、別のチップ上に構成されていてもよい。この、少なくとも１つの無線ベースバンド回路４０４は、次のベースバンド機能のうちの１つまたは複数の機能を提供するように構成された、少なくとも１つの無線ベースバンド回路を有していてよい。これらの機能とは、受信された物理チャネル信号の復調、および／または、受信された物理チャネルの信号からのパイロット情報の抽出である。
【００６０】
いくつかの実施形態では、所定の物理チャネルは、コグニティブパイロットチャネルであってよい。他の実施形態では、所定の物理チャネルは、非コグニティブパイロットチャネルであってよい。この場合、パイロット情報は、仮想コグニティブパイロットチャネルを介して受信され得る（パイロット情報は、例えばネットワーク通信層またはアプリケーション通信層といった、より上位の無線通信層において復号され得る）。
【００６１】
少なくとも１つの上記無線通信技術ファミリーは、次の無線通信技術ファミリーのうちの１つまたは複数を含んでいてよい。
【００６２】
−短距離無線通信技術ファミリー、
−メトロポリタンエリアシステム無線通信技術ファミリー、および、
−セルラー方式広域無線通信技術ファミリー。
【００６３】
いくつかの実施形態では、短距離無線通信技術ファミリーは、次の無線通信技術ファミリーのうちの少なくとも１つを含んでいてよい。
【００６４】
−ブルートゥース無線通信技術、
−超広帯域（ＵＷＢ）無線通信技術、
−ワイヤレスローカルエリアネットワーク無線通信技術（例えばＩＥＥＥ ８０２．１１（例えばＩＥＥＥ ８０２．１１ｎ）無線通信規格に基づく）、
−ＩｒＤＡ（赤外線通信協会）、
−Ｚ-Ｗａｖｅ、
−ジグビー、
−ＨｉｐｅｒＬＡＮ/２（高性能無線ＬＡＮ：５ＧＨｚに標準化された、ＡＴＭに似た別の技術）、
−ＩＥＥＥ ８０２．１１ａ（５ ＧＨｚ）、
−ＩＥＥＥ ８０２．１１ｇ（２．４ ＧＨｚ）、および、
−ＩＥＥＥ ８０２．１１ＶＨＴ（ＶＨＴ＝Very High Throughput）。
【００６５】
さらに、短距離無線通信技術ファミリーは、次の短距離無線通信技術のサブファミリーに分割可能である。
【００６６】
−パーソナルエリアネットワーク（ワイヤレスＰＡＮ）無線通信のサブファミリー（例えばＩｒＤＡ（赤外線通信協会）、ブルートゥース、ＵＷＢ、Ｚ-Ｗａｖｅ、およびジグビーを含んでいてよい）、および、
−ワイヤレスローカルエリアネットワーク（Ｗ-ＬＡＮ）無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）を含んでいてよい）。
【００６７】
いくつかの実施形態では、メトロポリタンエリアシステム無線通信技術ファミリーは、次の無線通信技術のうちの少なくとも１つを含んでよい。
【００６８】
−マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定無線通信規格またはＷｉＭａｘ移動無線通信規格に基づく）、
−ＷｉＰｒｏ、
−ＨｉｐｅｒＭＡＮ（高性能無線メトロポリタンエリアネットワーク）、および、
−ＩＥＥＥ ８０２．１６ｍ アドバンスド・エアーインターフェース、
さらに、メトロポリタンエリアシステム無線通信技術ファミリーは、次のメトロポリタンエリアシステム無線通信技術のサブファミリーに分割可能である。
【００６９】
−大学環境に特化されたワイヤレスキャンパスエリアネットワーク（Ｗ-ＣＡＮ）無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）、および、
−ワイヤレスメトロポリタンエリアネットワーク（Ｗ-ＭＡＮ）無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）。
【００７０】
いくつかの実施形態では、セルラー方式広域無線通信技術ファミリーは、次の無線通信技術のうちの少なくとも１つを含むことが可能である。
【００７１】
−グローバル・システム・フォー・モバイル・コミュニケーションズ（ＧＳＭ：Global System for Mobile Communications）無線通信技術、
−汎用パケット無線サービス（ＧＰＲＳ：General Packet Radio Service）無線通信技術、
−ＧＳＭ展開のために補強されたデータ速度（ＥＤＧＥ：Enhanced Data Rates for GSM Evolution）の無線通信技術、および、
−第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、
−ＣＤＭＡ２０００（符号分割多重アクセス２０００）、
−ＣＤＰＤ（セルラー方式デジタルパケットデータ：Cellular Digital Packet Data）、
−Ｍｏｂｉｔｅｘ、
−３Ｇ（第３世代）、
−ＣＳＤ（回線交換データ：Circuit Switched Data）、
−ＨＳＣＳＤ（高速回線交換データ：High-Speed Circuit-Switched Data）、
−ＵＭＴＳ（３Ｇ）（ユニバーサル・モバイル・テレコミュニケーション・システム（第３世代））、
−Ｗ-ＣＤＭＡ（ＵＭＴＳ）（広帯域符号分割多重アクセス（ユニバーサル・モバイル・テレコミュニケーション・システム））、
−ＨＳＰＡ（高速パケットアクセス：High Speed Packet Access）、
−ＨＳＤＰＡ（ハイスピード・ダウンリンク・パケット・アクセス）、
−ＨＳＵＰＡ（ハイスピード・アップリンク・パケット・アクセス）、
−ＨＳＰＡ＋（高速パケットアクセスプラス）、
−ＵＭＴＳ-ＴＤＤ（ユニバーサル・モバイル・テレコミュニケーション・システム−時分割複信）、
−ＴＤ-ＣＤＭＡ（時分割−符号分割多重アクセス）、
−ＴＤ-ＣＤＭＡ（時分割−同期符号分割多重アクセス）、
−３ＧＰＰ Ｒｅｌ．８（Ｐｒｅ−４Ｇ）（第３世代パートナーシップ・プロジェクト・リリース８（プレ第４世代））、
−ＵＴＲＡ（UMTS 地上無線アクセス：UMTS Terrestrial Radio Access）、
−Ｅ-ＵＴＲＡ（発展型（Evolved） UMTS 地上無線アクセス：Evolved UMTS Terrestrial Radio Access）、
−ＬＴＥ アドバンスド（４Ｇ）（ロング・ターム・エボルーション・アドバンスド（第４世代））、
−ｃｄｍａＯｎｅ（２Ｇ）、
−ＣＤＭＡ２０００（３Ｇ）、
−ＥＶ-ＤＯ（発展型データ最適化または発展型データのみ：Evolution-Data Optimized or Evolution-Data Only）、
−ＡＭＰＳ（１Ｇ）（アドバンスド携帯電話システム：Advanced Mobile Phone System（第１世代））、
−ＴＡＣＳ/ＥＴＡＣＳ（トータルアクセス通信システム/拡大型トータルアクセス通信システム：Total Access Communication System/Extended Total Access Communication System）、
−Ｄ-ＡＭＰＳ（２Ｇ）（デジタルＡＭＰＳ（第２世代））、
−ＰＴＴ（プッシュツウトーク）、
−ＭＴＳ（移動電話システム：Mobile Telephone System）、
−ＩＭＴＳ（改良型移動電話システム：Improved Mobile Telephone System）、
−ＡＭＴＳ（アドバンスド移動電話システム：Advanced Mobile Telephone System）、
−ＯＬＴ（ノルウェー語Offentlig Landmobil Telefoni、公的陸上移動電話方式）、
−ＭＴＤ（スウェーデン語Mobiltelefonisystem ＤまたはMobile telephony system Dの略語）、
−Ａｕｔｏｔｅｌ/ＰＡＬＭ（公的自動陸上移動電話）、
−ＡＲＰ（フィンランド語Autoradiopuhelin「カーラジオ電話」）、
−ＮＭＴ（スカンジナビアの移動電話方式）、
−Ｈｉｃａｐ（ＮＴＴ（日本電信電話株式会社）の高容量バージョン）、
−ＣＤＰＤ（セルラー方式デジタルパケットデータ）、
−ＤａｔａＴＡＣ、
−ｉＤＥＮ（Integrated Digital Enhanced Network）、
−ＰＤＣ（パーソナルデジタルセルラー）、
−ＰＨＳ（簡易型携帯電話）、
−ＷｉＤＥＮ（Wideband Integrated Digital Enhanced Network）、
−ｉＢｕｒｓｔ、
−無許可のモバイルアクセス（ＵＭＡ、３ＧＰＰ ジェネリックアクセスネットワーク、またはＧＡＮ規格とも呼ばれる）。
【００７２】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【００７３】
いくつかの実施形態では、少なくとも１つの上記他の無線通信技術ファミリーは、次の無線通信技術ファミリーのうちの１つまたは複数を含んでよい。
【００７４】
−短距離無線通信技術ファミリー、
−メトロポリタンエリアシステム無線通信技術ファミリー、および、
−セルラー方式広域無線通信技術ファミリー。
【００７５】
いくつかの実施形態では、短距離無線通信技術ファミリーは、次の無線通信技術のうちの少なくとも１つを含んでよい。
【００７６】
−ブルートゥース無線通信技術、
−超広帯域（ＵＷＢ）無線通信技術、
−ワイヤレスローカルエリアネットワーク無線通信技術（例えばＩＥＥＥ ８０２．１１（例えばＩＥＥＥ ８０２．１１ｎ）無線通信規格に基づく）、
−ＩｒＤＡ（赤外線通信協会）、
−Ｚ-Ｗａｖｅ、
−ジグビー、
−ＨｉｐｅｒＬＡＮ/２（高性能無線ＬＡＮ：５ＧＨｚに標準化された、ＡＴＭに似た別の技術）、
−ＩＥＥＥ ８０２．１１ａ（５ ＧＨｚ）、
−ＩＥＥＥ ８０２．１１ｇ（２．４ ＧＨｚ）、および、
−ＩＥＥＥ ８０２．１１ＶＨＴ（ＶＨＴ＝Very High Throughput）。
【００７７】
さらに、短距離無線通信技術ファミリーは、次の短距離無線通信技術のサブファミリーに分割可能である。
【００７８】
−パーソナルエリアネットワーク（ワイヤレスＰＡＮ）無線通信のサブファミリー（例えばＩｒＤＡ（赤外線通信協会）、ブルートゥース、ＵＷＢ、Ｚ-Ｗａｖｅ、およびジグビーを含んでいてよい）、および、
−ワイヤレスローカルエリアネットワーク（Ｗ-ＬＡＮ）無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）を含んでいてよい）。
【００７９】
いくつかの実施形態では、メトロポリタンエリアシステム無線通信技術ファミリーは、次の無線通信技術のうちの少なくとも１つを含んでよい。
【００８０】
−マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定無線通信規格またはＷｉＭａｘ移動無線通信規格に基づく）、
−ＷｉＰｒｏ、
−ＨｉｐｅｒＭＡＮ（高性能無線メトロポリタンエリアネットワーク）、および、
−ＩＥＥＥ ８０２．１６ｍ アドバンスド・エアーインターフェース。
【００８１】
さらに、メトロポリタンエリアシステム無線通信技術ファミリーは、次のメトロポリタンエリアシステム無線通信技術のサブファミリーに分割可能である。
【００８２】
−大学環境に特化されたワイヤレスキャンパスエリアネットワーク（Ｗ-ＣＡＮ）無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）、および、
−ワイヤレスメトロポリタンエリアネットワーク（Ｗ-ＭＡＮ）無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）。
【００８３】
いくつかの実施形態では、セルラー方式広域無線通信技術ファミリーは、次の無線通信技術のうちの少なくとも１つを含むことが可能である。
【００８４】
−グローバル・システム・フォー・モバイル・コミュニケーションズ（ＧＳＭ：Global System for Mobile Communications）無線通信技術、
−汎用パケット無線サービス（ＧＰＲＳ：General Packet Radio Service）無線通信技術、
−ＧＳＭ展開のために補強されたデータ速度（ＥＤＧＥ：Enhanced Data Rates for GSM Evolution）の無線通信技術、および、
−第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、
−ＣＤＭＡ２０００（符号分割多重アクセス２０００）、
−ＣＤＰＤ（セルラー方式デジタルパケットデータ：Cellular Digital Packet Data）、
−Ｍｏｂｉｔｅｘ、
−３Ｇ（第３世代）、
−ＣＳＤ（回線交換データ：Circuit Switched Data）、
−ＨＳＣＳＤ（高速回線交換データ：High-Speed Circuit-Switched Data）、
−ＵＭＴＳ（３Ｇ）（ユニバーサル・モバイル・テレコミュニケーション・システム（第３世代））、
−Ｗ-ＣＤＭＡ（ＵＭＴＳ）（広帯域符号分割多重アクセス（ユニバーサル・モバイル・テレコミュニケーション・システム））、
−ＨＳＰＡ（高速パケットアクセス：High Speed Packet Access）、
−ＨＳＤＰＡ（ハイスピード・ダウンリンク・パケット・アクセス）、
−ＨＳＵＰＡ（ハイスピード・アップリンク・パケット・アクセス）、
−ＨＳＰＡ＋（高速パケットアクセスプラス）、
−ＵＭＴＳ-ＴＤＤ（ユニバーサル・モバイル・テレコミュニケーション・システム−時分割複信）、
−ＴＤ-ＣＤＭＡ（時分割−符号分割多重アクセス）、
−ＴＤ-ＣＤＭＡ（時分割−同期符号分割多重アクセス）、
−３ＧＰＰ Ｒｅｌ．８（Ｐｒｅ−４Ｇ）（第３世代パートナーシップ・プロジェクト・リリース８（プレ第４世代））、
−ＵＴＲＡ（UMTS 地上無線アクセス：UMTS Terrestrial Radio Access）、
−Ｅ-ＵＴＲＡ（発展型（Evolved） UMTS 地上無線アクセス：Evolved UMTS Terrestrial Radio Access）、
−ＬＴＥ アドバンスド（４Ｇ）（ロング・ターム・エボルーション・アドバンスド（第４世代））、
−ｃｄｍａＯｎｅ（２Ｇ）、
−ＣＤＭＡ２０００（３Ｇ）（符号分割多重アクセス２０００（第３世代））、
−ＥＶ-ＤＯ（発展型データ最適化または発展型データのみ：Evolution-Data Optimized or Evolution-Data Only）、
−ＡＭＰＳ（１Ｇ）（アドバンスド携帯電話システム：Advanced Mobile Phone System（第１世代））、
−ＴＡＣＳ/ＥＴＡＣＳ（トータルアクセス通信システム/拡大型トータルアクセス通信システム：Total Access Communication System/Extended Total Access Communication System）、
−Ｄ-ＡＭＰＳ（２Ｇ）（デジタルＡＭＰＳ（第２世代））、
−ＰＴＴ（プッシュツウトーク）、
−ＭＴＳ（移動電話システム：Mobile Telephone System）、
−ＩＭＴＳ（改良型移動電話システム：Improved Mobile Telephone System）、
−ＡＭＴＳ（アドバンスド移動電話システム：Advanced Mobile Telephone System）、
−ＯＬＴ（ノルウェー語Offentlig Landmobil Telefoni、公的陸上移動電話方式）、
−ＭＴＤ（スウェーデン語Mobiltelefonisystem ＤまたはMobile telephony system Dの略語）、
−Ａｕｔｏｔｅｌ/ＰＡＬＭ（公的自動陸上移動電話）、
−ＡＲＰ（フィンランド語Autoradiopuhelin「カーラジオ電話」）、
−ＮＭＴ（スカンジナビアの移動電話方式）、
−Ｈｉｃａｐ（ＮＴＴ（日本電信電話株式会社）の高容量バージョン）、
−ＣＤＰＤ（セルラー方式デジタルパケットデータ）、
−ＤａｔａＴＡＣ、
−ｉＤＥＮ（Integrated Digital Enhanced Network）、
−ＰＤＣ（パーソナルデジタルセルラー）、
−ＰＨＳ（簡易型携帯電話）、
−ＷｉＤＥＮ（Wideband Integrated Digital Enhanced Network）、
−ｉＢｕｒｓｔ、および、
−無許可のモバイルアクセス（ＵＭＡ、３ＧＰＰ ジェネリックアクセスネットワーク、またはＧＡＮ規格とも呼ばれる）。
【００８５】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【００８６】
さらに、いくつかの実施形態では、少なくとも１つの上記無線通信技術ファミリーは、無線リソースへのアクセスがランダムに提供される（換言すると、ランダムアクセス技術が提供される）無線通信技術を含んでいてよい。少なくとも１つの上記他の無線通信技術ファミリーは、無線リソースへのアクセスが中央制御されて提供される無線通信技術を含んでいてよい。
【００８７】
さらに、いくつかの実施形態では、少なくとも１つの上記無線通信技術ファミリーは、無線リソースへのアクセスが中央制御されて提供される無線通信技術を含んでいてよい。少なくとも１つの上記他の無線通信技術ファミリーは、無線リソースへのアクセスがランダムに提供される（換言すると、ランダムアクセス技術が提供される）無線通信技術を含んでいてよい。
【００８８】
さらに、いくつかの実施形態では、移動無線通信装置４００は、受信器３０２または無線通信プロトコルコントローラ３０４に電源を供給するように構成された電源スイッチ４０６を有していてよい。さらに、移動無線通信装置４００は、電源スイッチ４０６を電力供給に関して制御するように構成された電源スイッチコントローラ４０８を有していてよい。
【００８９】
電源スイッチコントローラ４０８は、無線通信プロトコルコントローラ３０４が処理を行っている間、電源スイッチ４０６を制御して受信器３０２への電力供給を停止するように構成されていてよい。一実施形態では、電源スイッチ４０６は、例えば、復号器４０２、さらなる受信器４１０、第１のメモリ４１２、作業メモリ４１６、受信器コントローラ４２０、および無線スキャナ４２２に、追加的に（例えば、選択的に）電力を供給するように構成されていてよい。
【００９０】
いくつかの実施形態では、移動無線通信装置４００は、無線通信プロトコルコントローラ３０４に結合され、無線通信プロトコルコントローラ３０４によってその受信器特性が制御されるさらなる受信器４１０をさらに有していてよい。
【００９１】
いくつかの実施形態では、無線通信プロトコルコントローラ３０４は、少なくとも１つの上記他の無線通信技術ファミリーの少なくとも１つの無線通信技術の少なくとも１つの無線通信プロトコルであって、次の無線通信プロトコルのうちの少なくとも１つを提供するように構成されていてよい。
【００９２】
−物理無線通信プロトコル層無線通信プロトコル、
−媒体アクセス制御（ＭＡＣ）無線通信プロトコル層無線通信プロトコル、および、
−ネットワーク無線通信プロトコル層無線通信プロトコル。
【００９３】
一実施形態では、受信器３０２は、上述の、他の少なくとも１つの無線通信技術ファミリーの少なくとも１つの無線通信技術の少なくとも１つの無線通信プロトコルの少なくとも一部を（例えば、受信されたパイロット情報と共に、または受信されたパイロット情報とは別に）受信するように構成されていてよい。
【００９４】
さらに、いくつかの実施形態では、移動無線通信装置４００は、第１のメモリ４１２をさらに備えていてよい。第１のメモリ４１２は、少なくとも１つの上記他の無線通信技術ファミリーの少なくとも１つの無線通信技術の少なくとも１つの無線通信プロトコルの少なくとも一部を実施するプログラムコード４１４を格納するように構成されている。
【００９５】
さらに、いくつかの実施形態では、移動無線通信装置４００は、無線通信プロトコルコントローラ３０４に結合された作業メモリ４１６をさらに備えていてよく、ここで作業メモリ４１６は、無線通信プロトコルコントローラ３０４が、受信されたパイロット情報に基づいて、少なくとも１つの上記他の無線通信技術ファミリーの少なくとも１つの無線通信技術の少なくとも１つの無線通信プロトコルを提供するために用いるプログラムコード４１８を格納していてよい（プログラムコード４１８は、第１のメモリ４１２内に格納されたプログラムコード４１４を含んでいることが可能であり、プログラムコード４１４は、作業メモリ４１６内に伝送され得る）。
【００９６】
いくつかの実施形態では、無線通信プロトコルコントローラ３０４は、少なくとも１つの上記他の無線通信技術ファミリーの少なくとも１つの無線通信技術の少なくとも１つの無線通信プロトコルのプログラムコード４１４の必要な分を、第１のメモリ４１２から作業メモリ４１６内にロードするように構成されていてよい。
【００９７】
さらに、いくつかの実施形態では、移動無線通信装置４００はさらに、任意で、受信器コントローラ４２０を有していてよい。受信器コントローラ４２０は、所定のパイロット情報だけが、無線通信プロトコルコントローラ３０４に転送されるように、受信器３０２を制御するように構成されている。
【００９８】
一実施形態では、上記所定のパイロット情報は、少なくとも１つの他の無線通信技術ファミリーの少なくとも１つの所定の無線通信技術のパイロット情報を含んでいてよい。
【００９９】
さらに、いくつかの実施形態では、移動無線通信装置４００はさらに、任意で、無線スキャナ４２２を有していてよい。無線スキャナ４２２は、受信器３０２によって受信された信号以外の無線通信信号を走査するように構成されている。
【０１００】
いくつかの実施形態では、復号器４０２、電源スイッチコントローラ４０８、さらなる受信器４１０、第１のメモリ４１２、作業メモリ４１６、受信器コントローラ４２０、および無線スキャナ４２２は、例えば、ケーブルまたはコンピュータバスといった電気接続３０６、または他の任意の好適な電気接続を介して互いに結合されており、電気信号を交換することが可能である。
【０１０１】
図５は、移動無線通信装置の制御方法を示すフロー図５００である。本方法は、５０２において、一無線通信技術ファミリーに係る所定の無線物理チャネルを介して、他の少なくとも１つの無線通信技術ファミリーの少なくとも１つの無線通信技術の利用可能性に関する利用可能性情報を含む無線パイロット情報を受信する工程と、５０４において、受信された上記パイロット情報に基づいて、少なくとも１つの上記他の無線通信技術ファミリーの少なくとも１つの無線通信技術の少なくとも１つの無線通信プロトコルを提供する工程とを含む。
【０１０２】
少なくとも１つの上記他の無線通信技術ファミリーの少なくとも１つの無線通信技術の少なくとも１つの無線通信プロトコルは、プログラマブルコントローラを有する無線通信プロトコルコントローラによって提供されることが可能である。プログラマブルコントローラの例には、例えばマイクロプロセッサ（例えば複数命令セットコンピュータ（ＣＩＳＣ）マイクロプロセッサまたは縮小命令セットコンピュータ（ＲＩＳＣ）マイクロプロセッサ）が挙げられる。
【０１０３】
この方法は、受信されたパイロット情報を復号する工程をさらに有していてよい。
【０１０４】
上記復号する工程は、受信されたパイロット情報を復号するように構成された少なくとも１つの無線ベースバンド回路を備える復号器によって行われてよい（該復号器は、無線通信プロトコルコントローラと同じチップ上（例えば同じプロセッサ内、例えば同じマイクロプロセッサ内）に構成されていてもよいし、別のチップ上に構成されていてもよい）。
【０１０５】
上記復号する工程は、次の工程のうちの１つを含んでいてよい。
【０１０６】
−受信された物理チャネル信号を復調する工程、および、
−受信された物理チャネル信号からパイロット情報を抽出する工程。
【０１０７】
いくつかの実施形態では、所定の物理チャネルは、コグニティブパイロットチャネルであってよい。
【０１０８】
いくつかの実施形態では、所定の物理チャネルは、非コグニティブパイロットチャネルであってよい。この場合、パイロット情報は、仮想コグニティブパイロットチャネルを介して受信される（パイロット情報は、例えばネットワーク通信層またはアプリケーション通信層といった、より上位の無線通信層において復号され得る）。
【０１０９】
少なくとも１つの上記無線通信技術ファミリーは、次の無線通信技術ファミリーのうちの１つまたは複数を含んでいてよい。
【０１１０】
−短距離無線通信技術ファミリー、
−メトロポリタンエリアシステム無線通信技術ファミリー、および、
−セルラー方式広域無線通信技術ファミリー。
【０１１１】
いくつかの実施形態では、短距離無線通信技術ファミリーは、次の無線通信技術ファミリーのうちの少なくとも１つを含んでいてよい。
【０１１２】
−ブルートゥース無線通信技術、
−超広帯域（ＵＷＢ）無線通信技術、
−ワイヤレスローカルエリアネットワーク無線通信技術（例えばＩＥＥＥ ８０２．１１（例えばＩＥＥＥ ８０２．１１ｎ）無線通信規格に基づく）、
−ＩｒＤＡ（赤外線通信協会）、
−Ｚ-Ｗａｖｅ、
−ジグビー、
−ＨｉｐｅｒＬＡＮ/２（高性能無線ＬＡＮ：５ＧＨｚに標準化された、ＡＴＭに似た別の技術）、
−ＩＥＥＥ ８０２．１１ａ（５ ＧＨｚ）、
−ＩＥＥＥ ８０２．１１ｇ（２．４ ＧＨｚ）、および、
−ＩＥＥＥ ８０２．１１ＶＨＴ（ＶＨＴ＝Very High Throughput）。
【０１１３】
さらに、短距離無線通信技術ファミリーは、次の短距離無線通信技術のサブファミリーに分割可能である。
【０１１４】
−パーソナルエリアネットワーク（ワイヤレスＰＡＮ）無線通信短距離無線通信技術のサブファミリー（例えばＩｒＤＡ（赤外線通信協会）、ブルートゥース、ＵＷＢ、Ｚ-Ｗａｖｅ、およびジグビーを含んでいてよい）、および、
−ワイヤレスローカルエリアネットワーク（Ｗ-ＬＡＮ）無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）を含んでいてよい）。
【０１１５】
いくつかの実施形態では、メトロポリタンエリアシステム無線通信技術ファミリーは、次の無線通信技術のうちの少なくとも１つを含んでよい。
【０１１６】
−マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定無線通信規格またはＷｉＭａｘ移動無線通信規格に基づく）、
−ＷｉＰｒｏ、
−ＨｉｐｅｒＭＡＮ（高性能無線メトロポリタンエリアネットワーク）、および、
−ＩＥＥＥ ８０２．１６ｍ アドバンスド・エアーインターフェース、
さらに、メトロポリタンエリアシステム無線通信技術ファミリーは、次のメトロポリタンエリアシステム無線通信技術のサブファミリーに分割可能である。
【０１１７】
−大学環境に特化されたワイヤレスキャンパスエリアネットワーク（Ｗ-ＣＡＮ）無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）、および、
−ワイヤレスメトロポリタンエリアネットワーク（Ｗ-ＭＡＮ）無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）。
【０１１８】
いくつかの実施形態では、セルラー方式広域無線通信技術ファミリーは、次の無線通信技術のうちの少なくとも１つを含むことが可能である。
【０１１９】
−グローバル・システム・フォー・モバイル・コミュニケーションズ（ＧＳＭ：Global System for Mobile Communications）無線通信技術、
−汎用パケット無線サービス（ＧＰＲＳ：General Packet Radio Service）無線通信技術、
−ＧＳＭ展開のために補強されたデータ速度（ＥＤＧＥ：Enhanced Data Rates for GSM Evolution）無線通信技術、および、
−第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、
−ＣＤＭＡ２０００（符号分割多重アクセス２０００）、
−ＣＤＰＤ（セルラー方式デジタルパケットデータ：Cellular Digital Packet Data）、
−Ｍｏｂｉｔｅｘ、
−３Ｇ（第３世代）、
−ＣＳＤ（回線交換データ：Circuit Switched Data）、
−ＨＳＣＳＤ（高速回線交換データ：High-Speed Circuit-Switched Data）、
−ＵＭＴＳ（３Ｇ）（ユニバーサル・モバイル・テレコミュニケーション・システム（第３世代））、
−Ｗ-ＣＤＭＡ（ＵＭＴＳ）（広帯域符号分割多重アクセス（ユニバーサル・モバイル・テレコミュニケーション・システム））、
−ＨＳＰＡ（高速パケットアクセス：High Speed Packet Access）、
−ＨＳＤＰＡ（ハイスピード・ダウンリンク・パケット・アクセス）、
−ＨＳＵＰＡ（ハイスピード・アップリンク・パケット・アクセス）、
−ＨＳＰＡ＋（高速パケットアクセスプラス）、
−ＵＭＴＳ-ＴＤＤ（ユニバーサル・モバイル・テレコミュニケーション・システム−時分割複信）、
−ＴＤ-ＣＤＭＡ（時分割−符号分割多重アクセス）、
−ＴＤ-ＣＤＭＡ（時分割−同期符号分割多重アクセス）、
−３ＧＰＰ Ｒｅｌ．８（Ｐｒｅ−４Ｇ）（第３世代パートナーシップ・プロジェクト・リリース８（プレ第４世代））、
−ＵＴＲＡ（UMTS 地上無線アクセス：UMTS Terrestrial Radio Access）、
−Ｅ-ＵＴＲＡ（発展型（Evolved） UMTS 地上無線アクセス：Evolved UMTS Terrestrial Radio Access）、
−ＬＴＥ アドバンスド（４Ｇ）（ロング・ターム・エボルーション・アドバンスド（第４世代））、
−ｃｄｍａＯｎｅ（２Ｇ）、
−ＣＤＭＡ２０００（３Ｇ）（符号分割多重アクセス２０００（第３世代））、
−ＥＶ-ＤＯ（発展型データ最適化または発展型データのみ：Evolution-Data Optimized or Evolution-Data Only）、
−ＡＭＰＳ（１Ｇ）（アドバンスド携帯電話システム：Advanced Mobile Phone System（第１世代））、
−ＴＡＣＳ/ＥＴＡＣＳ（トータルアクセス通信システム/拡大型トータルアクセス通信システム：Total Access Communication System/Extended Total Access Communication System）、
−Ｄ-ＡＭＰＳ（２Ｇ）（デジタルＡＭＰＳ（第２世代））、
−ＰＴＴ（プッシュツウトーク）、
−ＭＴＳ（移動電話システム：Mobile Telephone System）、
−ＩＭＴＳ（改良型移動電話システム：Improved Mobile Telephone System）、
−ＡＭＴＳ（アドバンスド移動電話システム：Advanced Mobile Telephone System）、
−ＯＬＴ（ノルウェー語Offentlig Landmobil Telefoni、公的陸上移動電話方式）、
−ＭＴＤ（スウェーデン語Mobiltelefonisystem ＤまたはMobile telephony system Dの略語）、
−Ａｕｔｏｔｅｌ/ＰＡＬＭ（公的自動陸上移動電話）、
−ＡＲＰ（フィンランド語Autoradiopuhelin「カーラジオ電話」）、
−ＮＭＴ（スカンジナビアの移動電話方式）、
−Ｈｉｃａｐ（ＮＴＴ（日本電信電話株式会社）の高容量バージョン）、
−ＣＤＰＤ（セルラー方式デジタルパケットデータ）、
−ＤａｔａＴＡＣ、
−ｉＤＥＮ（Integrated Digital Enhanced Network）、
−ＰＤＣ（パーソナルデジタルセルラー）、
−ＰＨＳ（簡易型携帯電話）、
−ＷｉＤＥＮ（Wideband Integrated Digital Enhanced Network）、
−ｉＢｕｒｓｔ、および、
−無許可のモバイルアクセス（ＵＭＡ、３ＧＰＰ ジェネリックアクセスネットワーク、またはＧＡＮ規格とも呼ばれる）。
【０１２０】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【０１２１】
いくつかの実施形態では、少なくとも１つの上記他の無線通信技術ファミリーは、次の無線通信技術ファミリーのうちの１つまたは複数を含んでよい。
【０１２２】
−短距離無線通信技術ファミリー、
−メトロポリタンエリアシステム無線通信技術ファミリー、および、
−セルラー方式広域無線通信技術ファミリー。
【０１２３】
いくつかの実施形態では、短距離無線通信技術ファミリーは、次の無線通信技術のうちの少なくとも１つを含んでよい。
【０１２４】
−ブルートゥース無線通信技術、
−超広帯域（ＵＷＢ）無線通信技術、
−ワイヤレスローカルエリアネットワーク無線通信技術（例えばＩＥＥＥ ８０２．１１（例えばＩＥＥＥ ８０２．１１ｎ）無線通信規格に基づく）、
−ＩｒＤＡ（赤外線通信協会）、
−Ｚ-Ｗａｖｅ、
−ジグビー、
−ＨｉｐｅｒＬＡＮ/２（高性能無線ＬＡＮ：５ＧＨｚに標準化された、ＡＴＭに似た別の技術）、
−ＩＥＥＥ ８０２．１１ａ（５ ＧＨｚ）、
−ＩＥＥＥ ８０２．１１ｇ（２．４ ＧＨｚ）、および、
−ＩＥＥＥ ８０２．１１ＶＨＴ（ＶＨＴ＝Very High Throughput）。
【０１２５】
さらに、短距離無線通信技術ファミリーは、次の短距離無線通信技術のサブファミリーに分割可能である。
【０１２６】
−パーソナルエリアネットワーク（ワイヤレスＰＡＮ）無線通信のサブファミリー（例えばＩｒＤＡ（赤外線通信協会）、ブルートゥース、ＵＷＢ、Ｚ-Ｗａｖｅ、およびジグビーを含んでいてよい）、および、
−ワイヤレスローカルエリアネットワーク（Ｗ-ＬＡＮ）無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）を含んでいてよい）。
【０１２７】
いくつかの実施形態では、メトロポリタンエリアシステム無線通信技術ファミリーは、次の無線通信技術のうちの少なくとも１つを含んでよい。
【０１２８】
−マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定無線通信規格またはＷｉＭａｘ移動無線通信規格に基づく）、
−ＷｉＰｒｏ、
−ＨｉｐｅｒＭＡＮ（高性能無線メトロポリタンエリアネットワーク）、および、
−ＩＥＥＥ ８０２．１６ｍ アドバンスド・エアーインターフェース。
【０１２９】
さらに、メトロポリタンエリアシステム無線通信技術ファミリーは、次のメトロポリタンエリアシステム無線通信技術のサブファミリーに分割可能である。
【０１３０】
−大学環境に特化されたワイヤレスキャンパスエリアネットワーク（Ｗ-ＣＡＮ）無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）、および、
−ワイヤレスメトロポリタンエリアネットワーク（Ｗ-ＭＡＮ）無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）。
【０１３１】
いくつかの実施形態では、セルラー方式広域無線通信技術ファミリーは、次の無線通信技術のうちの少なくとも１つを含むことが可能である。
【０１３２】
−グローバル・システム・フォー・モバイル・コミュニケーションズ（ＧＳＭ：Global System for Mobile Communications）無線通信技術、
−汎用パケット無線サービス（ＧＰＲＳ：General Packet Radio Service）無線通信技術、
−ＧＳＭ展開のために補強されたデータ速度（ＥＤＧＥ：Enhanced Data Rates for GSM Evolution）の無線通信技術、および、
−第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、
−ＣＤＭＡ２０００（符号分割多重アクセス２０００）、
−ＣＤＰＤ（セルラー方式デジタルパケットデータ：Cellular Digital Packet Data）、
−Ｍｏｂｉｔｅｘ、
−３Ｇ（第３世代）、
−ＣＳＤ（回線交換データ：Circuit Switched Data）、
−ＨＳＣＳＤ（高速回線交換データ：High-Speed Circuit-Switched Data）、
−ＵＭＴＳ（３Ｇ）（ユニバーサル・モバイル・テレコミュニケーション・システム（第３世代））、
−Ｗ-ＣＤＭＡ（ＵＭＴＳ）（広帯域符号分割多重アクセス（ユニバーサル・モバイル・テレコミュニケーション・システム））、
−ＨＳＰＡ（高速パケットアクセス：High Speed Packet Access）、
−ＨＳＤＰＡ（ハイスピード・ダウンリンク・パケット・アクセス）、
−ＨＳＵＰＡ（ハイスピード・アップリンク・パケット・アクセス）、
−ＨＳＰＡ＋（高速パケットアクセスプラス）、
−ＵＭＴＳ-ＴＤＤ（ユニバーサル・モバイル・テレコミュニケーション・システム−時分割複信）、
−ＴＤ-ＣＤＭＡ（時分割−符号分割多重アクセス）、
−ＴＤ-ＣＤＭＡ（時分割−同期符号分割多重アクセス）、
−３ＧＰＰ Ｒｅｌ．８（Ｐｒｅ−４Ｇ）（第３世代パートナーシップ・プロジェクト・リリース８（プレ第４世代））、
−ＵＴＲＡ（UMTS 地上無線アクセス：UMTS Terrestrial Radio Access）、
−Ｅ-ＵＴＲＡ（発展型（Evolved） UMTS 地上無線アクセス：Evolved UMTS Terrestrial Radio Access）、
−ＬＴＥ アドバンスド（４Ｇ）（ロング・ターム・エボルーション・アドバンスド（第４世代））、
−ｃｄｍａＯｎｅ（２Ｇ）、
−ＣＤＭＡ２０００（３Ｇ）（符号分割多重アクセス２０００（第３世代））、
−ＥＶ-ＤＯ（発展型データ最適化または発展型データのみ：Evolution-Data Optimized or Evolution-Data Only）、
−ＡＭＰＳ（１Ｇ）（アドバンスド携帯電話システム：Advanced Mobile Phone System（第１世代））、
−ＴＡＣＳ/ＥＴＡＣＳ（トータルアクセス通信システム/拡大型トータルアクセス通信システム：Total Access Communication System/Extended Total Access Communication System）、
−Ｄ-ＡＭＰＳ（２Ｇ）（デジタルＡＭＰＳ（第２世代））、
−ＰＴＴ（プッシュツウトーク）、
−ＭＴＳ（移動電話システム：Mobile Telephone System）、
−ＩＭＴＳ（改良型移動電話システム：Improved Mobile Telephone System）、
−ＡＭＴＳ（アドバンスド移動電話システム：Advanced Mobile Telephone System）、
−ＯＬＴ（ノルウェー語Offentlig Landmobil Telefoni、公的陸上移動電話方式）、
−ＭＴＤ（スウェーデン語Mobiltelefonisystem ＤまたはMobile telephony system Dの略語）、
−Ａｕｔｏｔｅｌ/ＰＡＬＭ（公的自動陸上移動電話）、
−ＡＲＰ（フィンランド語Autoradiopuhelin「カーラジオ電話」）、
−ＮＭＴ（スカンジナビアの移動電話方式）、
−Ｈｉｃａｐ（ＮＴＴ（日本電信電話株式会社）の高容量バージョン）、
−ＣＤＰＤ（セルラー方式デジタルパケットデータ）、
−ＤａｔａＴＡＣ、
−ｉＤＥＮ（Integrated Digital Enhanced Network）、
−ＰＤＣ（パーソナルデジタルセルラー）、
−ＰＨＳ（簡易型携帯電話）、
−ＷｉＤＥＮ（Wideband Integrated Digital Enhanced Network）、
−ｉＢｕｒｓｔ、および、
−無許可のモバイルアクセス（ＵＭＡ、３ＧＰＰ ジェネリックアクセスネットワーク、またはＧＡＮ規格とも呼ばれる）。
【０１３３】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【０１３４】
さらに、いくつかの実施形態では、少なくとも１つの上記無線通信技術ファミリーは、無線リソースへのアクセスがランダムに提供される（換言すると、ランダムアクセス技術が提供される）無線通信技術を含んでいてよい。少なくとも１つの上記他の無線通信技術ファミリーは、無線リソースへのアクセスが中央制御されて提供される無線通信技術を含んでいてよい。
【０１３５】
さらに、いくつかの実施形態では、少なくとも１つの上記無線通信技術ファミリーは、無線リソースへのアクセスが中央制御されて提供される無線通信技術を含んでいてよい。少なくとも１つの上記他の無線通信技術ファミリーは、無線リソースへのアクセスがランダムに提供される（換言すると、ランダムアクセス技術が提供される）無線通信技術を含んでいてよい。
【０１３６】
本方法は、受信器または無線通信プロトコルコントローラに電力を選択的に供給する工程をさらに含んでいてよい。
【０１３７】
いくつかの実施形態では、本方法は、少なくとも１つの上記他の無線通信技術ファミリーの少なくとも１つの無線通信技術の少なくとも１つの無線通信プロトコルを提供する無線通信プロトコルコントローラに結合されたさらなる受信器を、上記さらなる受信器の受信器特性が無線通信プロトコルコントローラによって制御され得るように、制御する工程をさらに含んでいてよい。
【０１３８】
一実施形態では、少なくとも１つの上記他の無線通信技術ファミリーの少なくとも１つの無線通信技術の少なくとも１つの無線通信プロトコルを提供する工程は、少なくとも１つの上記他の無線通信技術ファミリーの少なくとも１つの無線通信技術の少なくとも１つの無線通信プロトコルであって、次の無線通信プロトコルのうちの少なくとも１つを提供する工程を含んでいてよい。
【０１３９】
−物理無線通信プロトコル層無線通信プロトコル、
−媒体アクセス制御（ＭＡＣ）無線通信プロトコル層無線通信プロトコル、および、
−ネットワーク無線通信プロトコル層無線通信プロトコル。
【０１４０】
本方法は、上述の、他の少なくとも１つの無線通信技術ファミリーの少なくとも１つの無線通信技術の少なくとも１つの無線通信プロトコルの少なくとも一部を（例えば、受信されたパイロット情報と共に、または受信されたパイロット情報とは別に）受信する工程をさらに含んでいてよい。
【０１４１】
いくつかの実施形態では、本方法は、少なくとも１つの上記他の無線通信技術ファミリーの少なくとも１つの無線通信技術の少なくとも１つの無線通信プロトコルの少なくとも一部を実施するプログラムコードを、第１のメモリ内に格納する工程をさらに含んでいてよい。
【０１４２】
いくつかの実施形態では、本方法は、無線通信プロトコルコントローラが、受信されたパイロット情報に基づいて、少なくとも１つの上記他の無線通信技術ファミリーの少なくとも１つの無線通信技術の少なくとも１つの無線通信プロトコルを提供するために用いるプログラムコードを、無線通信プロトコルコントローラに結合された作業メモリ内に格納する工程をさらに含んでいてよい。
【０１４３】
少なくとも１つの上記他の無線通信技術ファミリーの少なくとも１つの無線通信技術の少なくとも１つの無線通信プロトコルのプログラムコードの必要な分は、第１のメモリから作業メモリ内にロードされ得る。
【０１４４】
いくつかの実施形態では、本方法は、受信された所定のパイロット情報だけを無線通信プロトコルコントローラに転送する工程をさらに含んでよい。
【０１４５】
いくつかの実施形態では、上記所定のパイロット情報は、他の少なくとも１つの無線通信技術ファミリーの少なくとも１つの所定の無線通信技術のパイロット情報を含んでいてよい。
【０１４６】
いくつかの実施形態では、本方法は、受信器によって受信された信号以外の無線通信信号を無線走査する工程をさらに含んでいてよい。
【０１４７】
図６は、他の一実施形態に係る無線通信装置６００を示す図である。
【０１４８】
いくつかの実施形態では、無線通信装置６００は、所定の無線物理チャネルを介してコグニティブパイロットチャネル情報を受信するように構成されたコグニティブパイロットチャネル受信器６０２を含んでいてよい。無線通信装置６００は、無線信号の受信において、所定の受信基準が満たされているか否かを判定するように構成された判定回路６０４をさらに含んでいてよい。
【０１４９】
無線通信装置６００は、また、無線信号の受信の上記所定の受信基準が満たされているか否かに基づいて、コグニティブパイロットチャネル受信器６０２を起動するように構成されたコグニティブパイロットチャネル受信器起動部６０６を備えていてよい。コグニティブパイロットチャネル受信器６０２、判定回路６０４、およびコグニティブパイロットチャネル受信器起動部６０６は、例えば、ケーブルまたはコンピュータバスといった電気接続６０８、または他の任意の好適な電気接続を介して互いに結合されており、電気信号を交換することが可能なものである。
【０１５０】
図７は、さらに他の一実施形態に係る無線通信装置７００を示す図である。
【０１５１】
図７に示すように、無線通信装置７００は、図６の無線通信装置６００の部材に加えて、無線通信プロトコルコントローラ７０２を備えていてよい。無線通信プロトコルコントローラ７０２は、異なる複数の無線通信技術ファミリーから選択された少なくとも１つの無線通信技術ファミリーの少なくとも１つの無線通信技術の少なくとも１つの無線通信プロトコルを提供するように構成されている。
【０１５２】
無線通信プロトコルコントローラ７０２は、プログラマブルコントローラ、例えばマイクロプロセッサ（例えば複数命令セットコンピュータ（ＣＩＳＣ）マイクロプロセッサまたは縮小命令セットコンピュータ（ＲＩＳＣ）マイクロプロセッサ）を含んでいてもよいし、該プログラマブルコントローラによって形成されていてもよい。
【０１５３】
いくつかの実施形態では、判定回路６０４は、受信された無線信号の受信の質に関する所定の受信基準が満たされているか否かを判定するように構成されていてよい。さらに、コグニティブパイロットチャネル受信器起動部６０６は、受信された無線信号の受信の質が受信の質の所定の閾値よりも低いか否かに基づいて、コグニティブパイロットチャネル受信器６０２を起動するように構成されていてよい。
【０１５４】
いくつかの実施形態では、無線通信装置７００は、受信されたコグニティブパイロットチャネル情報を復号するように構成されたコグニティブパイロットチャネル復号器７０４をさらに備えていてよい。いくつかの実施形態では、コグニティブパイロットチャネル復号器７０４は、受信されたコグニティブパイロットチャネル情報を復号するように構成された少なくとも１つの無線ベースバンド回路を備えていてよい（該無線ベースバンド回路は、無線通信プロトコルコントローラと同じチップ（例えば同じプロセッサ内、例えば同じマイクロプロセッサ内）上に構成されていてもよいし、または別のチップ上に構成されていてもよい）。上記少なくとも１つの無線ベースバンド回路は、次のベースバンド機能のうちの少なくとも１つの機能を提供するように構成された少なくとも１つの無線ベースバンド回路を含んでいてよい。
【０１５５】
−受信されたコグニティブパイロットチャネル信号の復調、および、
−受信された物理チャネル信号からのコグニティブパイロットチャネル情報の抽出。
【０１５６】
いくつかの実施形態では、所定の物理チャネルは、コグニティブパイロットチャネルである。
【０１５７】
いくつかの実施形態では、所定の物理チャネルは、非コグニティブパイロットチャネルであってよい。この場合、パイロット情報は、仮想コグニティブパイロットチャネルを介して受信され得る（パイロット情報は、例えばネットワーク通信層またはアプリケーション通信層といった、より上位の無線通信層において復号され得る）。
【０１５８】
少なくとも１つの上記無線通信技術ファミリーは、次の無線通信技術ファミリーのうちの１つまたは複数を含んでいてよい。
【０１５９】
−短距離無線通信技術ファミリー、
−メトロポリタンエリアシステム無線通信技術ファミリー、および、
−セルラー方式広域無線通信技術ファミリー。
【０１６０】
いくつかの実施形態では、短距離無線通信技術ファミリーは、次の無線通信技術ファミリーのうちの少なくとも１つを含んでいてよい。
【０１６１】
−ブルートゥース無線通信技術、
−超広帯域（ＵＷＢ）無線通信技術、
−ワイヤレスローカルエリアネットワーク無線通信技術（例えばＩＥＥＥ ８０２．１１（例えばＩＥＥＥ ８０２．１１ｎ）無線通信規格に基づく）、
−ＩｒＤＡ（赤外線通信協会）、
−Ｚ-Ｗａｖｅ、
−ジグビー、
−ＨｉｐｅｒＬＡＮ/２（高性能無線ＬＡＮ：５ＧＨｚに標準化された、ＡＴＭに似た別の技術）、
−ＩＥＥＥ ８０２．１１ａ（５ ＧＨｚ）、
−ＩＥＥＥ ８０２．１１ｇ（２．４ ＧＨｚ）、および、
−ＩＥＥＥ ８０２．１１ＶＨＴ（ＶＨＴ＝Very High Throughput）。
【０１６２】
さらに、短距離無線通信技術ファミリーは、次の短距離無線通信技術のサブファミリーに分割可能である。
【０１６３】
−パーソナルエリアネットワーク（ワイヤレスＰＡＮ）無線通信のサブファミリー（例えばＩｒＤＡ（赤外線通信協会）、ブルートゥース、ＵＷＢ、Ｚ-Ｗａｖｅ、およびジグビーを含んでいてよい）、および、
−ワイヤレスローカルエリアネットワーク（Ｗ-ＬＡＮ）無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）を含んでいてよい）。
【０１６４】
いくつかの実施形態では、メトロポリタンエリアシステム無線通信技術ファミリーは、次の無線通信技術のうちの少なくとも１つを含んでよい。
【０１６５】
−マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定無線通信規格またはＷｉＭａｘ移動無線通信規格に基づく）、
−ＷｉＰｒｏ、
−ＨｉｐｅｒＭＡＮ（高性能無線メトロポリタンエリアネットワーク）、および、
−ＩＥＥＥ ８０２．１６ｍ アドバンスド・エアーインターフェース、
さらに、メトロポリタンエリアシステム無線通信技術ファミリーは、次のメトロポリタンエリアシステム無線通信技術のサブファミリーに分割可能である。
【０１６６】
−大学環境に特化されたワイヤレスキャンパスエリアネットワーク（Ｗ-ＣＡＮ）無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）、および、
−ワイヤレスメトロポリタンエリアネットワーク（Ｗ-ＭＡＮ）無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）。
【０１６７】
いくつかの実施形態では、セルラー方式広域無線通信技術ファミリーは、次の無線通信技術のうちの少なくとも１つを含むことが可能である。
【０１６８】
−グローバル・システム・フォー・モバイル・コミュニケーションズ（ＧＳＭ：Global System for Mobile Communications）無線通信技術、
−汎用パケット無線サービス（ＧＰＲＳ：General Packet Radio Service）無線通信技術、
−ＧＳＭ展開のために補強されたデータ速度（ＥＤＧＥ：Enhanced Data Rates for GSM Evolution）の無線通信技術、および、
−第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、
−ＣＤＭＡ２０００（符号分割多重アクセス２０００）、
−ＣＤＰＤ（セルラー方式デジタルパケットデータ：Cellular Digital Packet Data）、
−Ｍｏｂｉｔｅｘ、
−３Ｇ（第３世代）、
−ＣＳＤ（回線交換データ：Circuit Switched Data）、
−ＨＳＣＳＤ（高速回線交換データ：High-Speed Circuit-Switched Data）、
−ＵＭＴＳ（３Ｇ）（ユニバーサル・モバイル・テレコミュニケーション・システム（第３世代））、
−Ｗ-ＣＤＭＡ（ＵＭＴＳ）（広帯域符号分割多重アクセス（ユニバーサル・モバイル・テレコミュニケーション・システム））、
−ＨＳＰＡ（高速パケットアクセス：High Speed Packet Access）、
−ＨＳＤＰＡ（ハイスピード・ダウンリンク・パケット・アクセス）、
−ＨＳＵＰＡ（ハイスピード・アップリンク・パケット・アクセス）、
−ＨＳＰＡ＋（高速パケットアクセスプラス）、
−ＵＭＴＳ-ＴＤＤ（ユニバーサル・モバイル・テレコミュニケーション・システム−時分割複信）、
−ＴＤ-ＣＤＭＡ（時分割−符号分割多重アクセス）、
−ＴＤ-ＣＤＭＡ（時分割−同期符号分割多重アクセス）、
−３ＧＰＰ Ｒｅｌ．８（Ｐｒｅ−４Ｇ）（第３世代パートナーシップ・プロジェクト・リリース８（プレ第４世代））、
−ＵＴＲＡ（UMTS 地上無線アクセス：UMTS Terrestrial Radio Access）、
−Ｅ-ＵＴＲＡ（発展型（Evolved） UMTS 地上無線アクセス：Evolved UMTS Terrestrial Radio Access）、
−ＬＴＥ アドバンスド（４Ｇ）（ロング・ターム・エボルーション・アドバンスド（第４世代））、
−ｃｄｍａＯｎｅ（２Ｇ）、
−ＣＤＭＡ２０００（３Ｇ）、（符号分割多重アクセス２０００（第３世代））
−ＥＶ-ＤＯ（発展型データ最適化または発展型データのみ：Evolution-Data Optimized or Evolution-Data Only）、
−ＡＭＰＳ（１Ｇ）（アドバンスド携帯電話システム：Advanced Mobile Phone System（第１世代））、
−ＴＡＣＳ/ＥＴＡＣＳ（トータルアクセス通信システム/拡大型トータルアクセス通信システム：Total Access Communication System/Extended Total Access Communication System）、
−Ｄ-ＡＭＰＳ（２Ｇ）（デジタルＡＭＰＳ（第２世代））、
−ＰＴＴ（プッシュツウトーク）、
−ＭＴＳ（移動電話システム：Mobile Telephone System）、
−ＩＭＴＳ（改良型移動電話システム：Improved Mobile Telephone System）、
−ＡＭＴＳ（アドバンスド移動電話システム：Advanced Mobile Telephone System）、
−ＯＬＴ（ノルウェー語Offentlig Landmobil Telefoni、公的陸上移動電話方式）、
−ＭＴＤ（スウェーデン語Mobiltelefonisystem ＤまたはMobile telephony system Dの略語）、
−Ａｕｔｏｔｅｌ/ＰＡＬＭ（公的自動陸上移動電話）、
−ＡＲＰ（フィンランド語Autoradiopuhelin「カーラジオ電話」）、
−ＮＭＴ（スカンジナビアの移動電話方式）、
−Ｈｉｃａｐ（ＮＴＴ（日本電信電話株式会社）の高容量バージョン）、
−ＣＤＰＤ（セルラー方式デジタルパケットデータ）、
−ＤａｔａＴＡＣ、
−ｉＤＥＮ（Integrated Digital Enhanced Network）、
−ＰＤＣ（パーソナルデジタルセルラー）、
−ＰＨＳ（簡易型携帯電話）、
−ＷｉＤＥＮ（Wideband Integrated Digital Enhanced Network）、
−ｉＢｕｒｓｔ、
−無許可のモバイルアクセス（ＵＭＡ、３ＧＰＰ ジェネリックアクセスネットワーク、またはＧＡＮ規格とも呼ばれる）。
【０１６９】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【０１７０】
いくつかの実施形態では、無線通信装置７００は、さらなる受信器７０６をさらに備えていてよい。このさらなる受信器７０６は、無線通信プロトコルコントローラ７０２に結合されており、該さらなる受信器７０６の受信器特性は、無線通信プロトコルコントローラ７０２によって制御され得る。
【０１７１】
一実施形態では、無線通信プロトコルコントローラ７０２は、少なくとも１つの上記無線通信技術ファミリーの少なくとも１つの無線通信技術の少なくとも１つの無線通信プロトコルであって、次の無線通信プロトコルのうちの少なくとも１つを提供するように構成されていてよい。
【０１７２】
−物理無線通信プロトコル層無線通信プロトコル、
−媒体アクセス制御（ＭＡＣ）無線通信プロトコル層無線通信プロトコル、および、
−ネットワーク無線通信プロトコル層無線通信プロトコル。
【０１７３】
一実施形態では、コグニティブパイロットチャネル受信器６０２は、上述の、少なくとも１つの無線通信技術ファミリーの少なくとも１つの無線通信技術の少なくとも１つの無線通信プロトコルの少なくとも一部を（例えば、受信されたパイロット情報と共に、または受信されたパイロット情報とは別に）受信するように構成されていてよい。
【０１７４】
いくつかの実施形態では、無線通信装置７００は、少なくとも１つの上記無線通信技術ファミリーの少なくとも１つの無線通信技術の少なくとも１つの無線通信プロトコルの少なくとも一部を実施するプログラムコード７１０を格納するように構成された第１のメモリ７０８をさらに備えていてよい。
【０１７５】
いくつかの実施形態では、無線通信装置７００は、無線通信プロトコルコントローラ７０２に結合された作業メモリ７１２をさらに備えていてよい。ここで、作業メモリ７１２は、無線通信プロトコルコントローラ７０２が、受信されたコグニティブパイロットチャネル情報に基づいて、少なくとも１つの無線通信技術ファミリーの少なくとも１つの無線通信技術の少なくとも１つの無線通信プロトコルを提供するために用いるプログラムコード７１４を格納している。
【０１７６】
無線通信プロトコルコントローラ７０２は、少なくとも１つの無線通信技術ファミリーの少なくとも１つの無線通信技術の少なくとも１つの無線通信プロトコルのプログラムコード７１４の必要な分を、第１のメモリ７０８から作業メモリ７１２内にロードするように構成されていてよい。
【０１７７】
いくつかの実施形態では、無線通信装置７００は、受信器コントローラ７１６をさらに備えていてよい。受信器コントローラ７１６は、所定のパイロット情報だけが無線通信プロトコルコントローラ７０２に転送されるように、コグニティブパイロットチャネル受信器６０２（またはＶ−ＣＰＣの場合はさらなる受信器７０６）を制御するように構成されている。
【０１７８】
一実施形態では、所定のコグニティブパイロットチャネル情報は、少なくとも１つの無線通信技術ファミリーの少なくとも１つの所定の無線通信技術のコグニティブパイロットチャネル情報を含んでいてよい。
【０１７９】
いくつかの実施形態では、無線通信装置７００は、コグニティブパイロットチャネル受信器によって受信された信号以外の無線通信信号を走査するように構成された無線スキャナ７１８をさらに備えていてよい。
【０１８０】
図８は、一実施形態に係る移動無線通信装置の制御方法を示すフロー図８００である。
【０１８１】
いくつかの実施形態では、本方法は、８０２において、所定の無線物理チャネルを介してコグニティブパイロットチャネル情報を受信する工程を含む。本方法は、８０４において、無線信号の受信の所定の受信基準が満たされているか否かを判定する工程と、８０６において、無線信号の受信の上記所定の受信基準が満たされているか否かに基づいて、コグニティブパイロットチャネル受信器を選択的に起動する工程とをさらに含む。
【０１８２】
一形態では、無線信号の受信の所定の受信基準が満たされているか否かを判定する上記工程は、受信された無線信号の受信の質に関する所定の受信基準が満たされているか否かを判定することを含んでよい。さらに、コグニティブパイロットチャネル受信器を選択的に起動する上記工程は、受信された無線信号の受信の質が受信の質の所定の閾値よりも低いか否かに基づいて、コグニティブパイロットチャネル受信器を起動することを含む。
【０１８３】
このとき、Ｖ−ＣＰＣは、起動されず、または利用可能でない。換言すると、この場合は、物理コグニティブパイロットチャネル内に含まれる情報を受信および評価するための部材を起動するようになっている。一方、Ｖ−ＣＰＣが利用可能である場合は、Ｖ−ＣＰＣ内に含まれる情報を評価するだけで十分のときがある）。
【０１８４】
いくつかの実施形態では、本方法は、異なる複数の無線通信技術ファミリーから選択された少なくとも１つの無線通信技術ファミリーの少なくとも１つの無線通信技術の少なくとも１つの無線通信プロトコルを提供する工程をさらに含んでよい。
【０１８５】
いくつかの実施形態では、本方法は、受信されたコグニティブパイロットチャネル情報を復号する工程をさらに含んでいてよい。
【０１８６】
いくつかの実施形態では、上記復号する工程は、受信されたパイロット情報を復号するように構成された少なくとも１つの無線ベースバンド回路を有する復号器によって行われることが可能である（該少なくとも１つの無線ベースバンド回路は、無線通信プロトコルコントローラと同じチップ（例えば同じプロセッサ内、例えば同じマイクロプロセッサ内）上に構成されていてもよいし、または別のチップ上に構成されていてもよい）。
【０１８７】
上記復号する工程は、次の工程のうちのいずれか１つを含んでいてよい。
【０１８８】
−受信された物理チャネル信号を復調する工程、および、
−受信された物理チャネル信号からパイロット情報を抽出する工程。
【０１８９】
いくつかの実施形態では、所定の物理チャネルは、コグニティブパイロットチャネルである。
【０１９０】
いくつかの実施形態では、所定の物理チャネルは、非コグニティブパイロットチャネルであってよく、パイロット情報は、仮想コグニティブパイロットチャネルを介して受信され得る（パイロット情報は、例えばネットワーク通信層またはアプリケーション通信層といった、より上位の無線通信層において復号され得る）
いくつかの実施形態では、少なくとも１つの上記無線通信技術ファミリーは、次の無線通信技術ファミリーのうちの少なくとも１つを含んでいてよい。
【０１９１】
−短距離無線通信技術ファミリー、
−メトロポリタンエリアシステム無線通信技術ファミリー、および、
−セルラー方式広域無線通信技術ファミリー。
【０１９２】
いくつかの実施形態では、短距離無線通信技術ファミリーは、次の無線通信技術ファミリーのうちの少なくとも１つを含んでいてよい。
【０１９３】
−ブルートゥース無線通信技術、
−超広帯域（ＵＷＢ）無線通信技術、
−ワイヤレスローカルエリアネットワーク無線通信技術（例えばＩＥＥＥ ８０２．１１（例えばＩＥＥＥ ８０２．１１ｎ）無線通信規格に基づく）、
−ＩｒＤＡ（赤外線通信協会）、
−Ｚ-Ｗａｖｅ、
−ジグビー、
−ＨｉｐｅｒＬＡＮ/２（高性能無線ＬＡＮ：５ＧＨｚに標準化された、ＡＴＭに似た別の技術）、
−ＩＥＥＥ ８０２．１１ａ（５ ＧＨｚ）、
−ＩＥＥＥ ８０２．１１ｇ（２．４ ＧＨｚ）、および、
−ＩＥＥＥ ８０２．１１ＶＨＴ（ＶＨＴ＝Very High Throughput）。
【０１９４】
さらに、短距離無線通信技術ファミリーは、次の短距離無線通信技術のサブファミリーに分割可能である。
【０１９５】
−パーソナルエリアネットワーク（ワイヤレスＰＡＮ）無線通信のサブファミリー（例えばＩｒＤＡ（赤外線通信協会）、ブルートゥース、ＵＷＢ、Ｚ-Ｗａｖｅ、およびジグビーを含んでいてよい）、および、
−ワイヤレスローカルエリアネットワーク（Ｗ-ＬＡＮ）無線通信のサブファミリー（例えばＨｉｐｅｒＬＡＮ/２（高性能無線ＬＡＮ：５ＧＨｚに標準化された、ＡＴＭに似た別の技術）、ＩＥＥＥ ８０２．１１ａ（５ ＧＨｚ）、ＩＥＥＥ ８０２．１１ｇ（２．４ ＧＨｚ）、ＩＥＥＥ ８０２．１１ｎ、ＩＥＥＥ ８０２．１１ＶＨＴ（ＶＨＴ＝Very High Throughput）を含んでいてよい）。
【０１９６】
いくつかの実施形態では、メトロポリタンエリアシステム無線通信技術ファミリーは、次の無線通信技術のうちの少なくとも１つを含んでよい。
【０１９７】
−マイクロ波アクセスのための世界相互運用性（ＷｉＭａｘ：Worldwide Interoperability for Microwave Access）（例えばＩＥＥＥ ８０２．１６無線通信規格、例えばＷｉＭａｘ固定無線通信規格またはＷｉＭａｘ移動無線通信規格に基づく）、
−ＷｉＰｒｏ、
−ＨｉｐｅｒＭＡＮ（高性能無線メトロポリタンエリアネットワーク）、および、
−ＩＥＥＥ ８０２．１６ｍ アドバンスド・エアーインターフェース、
さらに、メトロポリタンエリアシステム無線通信技術ファミリーは、次のメトロポリタンエリアシステム無線通信技術のサブファミリーに分割可能である。
【０１９８】
−大学環境に特化されたワイヤレスキャンパスエリアネットワーク（Ｗ-ＣＡＮ）無線通信のサブファミリー（メトロポリタンエリアネットワークの１つの形態と見なされ、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）、および、
−ワイヤレスメトロポリタンエリアネットワーク（Ｗ-ＭＡＮ）無線通信のサブファミリー（部屋、建物、キャンパス、または特定のメトロポリタンエリア（例えば１つの街）にそれぞれ限定され、例えばＷｉＭａｘ、ＷｉＰｒｏ、ＨｉｐｅｒＭＡＮ（高性能無線メトロポリタンエリアネットワーク）、またはＩＥＥＥ ８０２．１６ｍ アドバンスド・エアーインターフェースを含むことが可能である）。
【０１９９】
いくつかの実施形態では、セルラー方式広域無線通信技術ファミリーは、次の無線通信技術のうちの少なくとも１つを含むことが可能である。
【０２００】
−グローバル・システム・フォー・モバイル・コミュニケーションズ（ＧＳＭ：Global System for Mobile Communications）無線通信技術、
−汎用パケット無線サービス（ＧＰＲＳ：General Packet Radio Service）無線通信技術、
−ＧＳＭ展開のために補強されたデータ速度（ＥＤＧＥ：Enhanced Data Rates for GSM Evolution）の無線通信技術、および、
−第３世代パートナーシップ・プロジェクト（３ＧＰＰ）無線通信技術（例えば、ＵＭＴＳ（ユニバーサル・モバイル・テレコミュニケーション・システム：Universal Mobile Telecommunications System）、ＦＯＭＡ（Freedom of Multimedia Access）、３ＧＰＰ ＬＴＥ（ロング・ターム・エボルーション：Long Term Evolution）、３ＧＰＰ ＬＴＥ アドバンスド（Long Term Evolution Advanced））、
−ＣＤＭＡ２０００（符号分割多重アクセス２０００）、
−ＣＤＰＤ（セルラー方式デジタルパケットデータ：Cellular Digital Packet Data）、
−Ｍｏｂｉｔｅｘ、
−３Ｇ（第３世代）、
−ＣＳＤ（回線交換データ：Circuit Switched Data）、
−ＨＳＣＳＤ（高速回線交換データ：High-Speed Circuit-Switched Data）、
−ＵＭＴＳ（３Ｇ）（ユニバーサル・モバイル・テレコミュニケーション・システム（第３世代））、
−Ｗ-ＣＤＭＡ（ＵＭＴＳ）（広帯域符号分割多重アクセス（ユニバーサル・モバイル・テレコミュニケーション・システム））、
−ＨＳＰＡ（高速パケットアクセス：High Speed Packet Access）、
−ＨＳＤＰＡ（ハイスピード・ダウンリンク・パケット・アクセス）、
−ＨＳＵＰＡ（ハイスピード・アップリンク・パケット・アクセス）、
−ＨＳＰＡ＋（高速パケットアクセスプラス）、
−ＵＭＴＳ-ＴＤＤ（ユニバーサル・モバイル・テレコミュニケーション・システム−時分割複信）、
−ＴＤ-ＣＤＭＡ（時分割−符号分割多重アクセス）、
−ＴＤ-ＣＤＭＡ（時分割−同期符号分割多重アクセス）、
−３ＧＰＰ Ｒｅｌ．８（Ｐｒｅ−４Ｇ）（第３世代パートナーシップ・プロジェクト・リリース８（プレ第４世代））、
−ＵＴＲＡ（UMTS 地上無線アクセス：UMTS Terrestrial Radio Access）、
−Ｅ-ＵＴＲＡ（発展型（Evolved） UMTS 地上無線アクセス：Evolved UMTS Terrestrial Radio Access）、
−ＬＴＥ アドバンスド（４Ｇ）（ロング・ターム・エボルーション・アドバンスド（第４世代））、
−ｃｄｍａＯｎｅ（２Ｇ）、
−ＣＤＭＡ２０００（３Ｇ）、（符号分割多重アクセス２０００（第３世代））、
−ＥＶ-ＤＯ（発展型データ最適化または発展型データのみ：Evolution-Data Optimized or Evolution-Data Only）、
−ＡＭＰＳ（１Ｇ）（アドバンスド携帯電話システム：Advanced Mobile Phone System（第１世代））、
−ＴＡＣＳ/ＥＴＡＣＳ（トータルアクセス通信システム/拡大型トータルアクセス通信システム：Total Access Communication System/Extended Total Access Communication System）、
−Ｄ-ＡＭＰＳ（２Ｇ）（デジタルＡＭＰＳ（第２世代））、
−ＰＴＴ（プッシュツウトーク）、
−ＭＴＳ（移動電話システム：Mobile Telephone System）、
−ＩＭＴＳ（改良型移動電話システム：Improved Mobile Telephone System）、
−ＡＭＴＳ（アドバンスド移動電話システム：Advanced Mobile Telephone System）、
−ＯＬＴ（ノルウェー語Offentlig Landmobil Telefoni、公的陸上移動電話方式）、
−ＭＴＤ（スウェーデン語Mobiltelefonisystem ＤまたはMobile telephony system Dの略語）、
−Ａｕｔｏｔｅｌ/ＰＡＬＭ（公的自動陸上移動電話）、
−ＡＲＰ（フィンランド語Autoradiopuhelin「カーラジオ電話」）、
−ＮＭＴ（スカンジナビアの移動電話方式）、
−Ｈｉｃａｐ（ＮＴＴ（日本電信電話株式会社）の高容量バージョン）、
−ＣＤＰＤ（セルラー方式デジタルパケットデータ）、
−ＤａｔａＴＡＣ、
−ｉＤＥＮ（Integrated Digital Enhanced Network）、
−ＰＤＣ（パーソナルデジタルセルラー）、
−ＰＨＳ（簡易型携帯電話）、
−ＷｉＤＥＮ（Wideband Integrated Digital Enhanced Network）、
−ｉＢｕｒｓｔ、
−無許可のモバイルアクセス（ＵＭＡ、３ＧＰＰ ジェネリックアクセスネットワーク、またはＧＡＮ規格とも呼ばれる）。
【０２０１】
セルラー方式広域無線通信技術ファミリーは、ワイヤレス広域ネットワーク（ワイヤレスＷＡＮ）無線通信技術ファミリーとも見なされ得る。これは、例えば、広大な地域を対象とする（コンピュータ）ネットワーク（つまり、その通信リンクが都市の境、地域の境、または国境を越える任意のネットワーク）を含むと共に、例えば次の技術を含む。ＧＰＲＳ、ＣＤＭＡ２０００（符号分割多重アクセス２０００）、ＧＳＭ、ＣＤＰＤ（セルラー方式デジタルパケットデータ：Cellular Digital Packet Data）、Ｍｏｂｉｔｅｘ、３Ｇ（第３世代）、ＣＳＤ（回線交換データ：Circuit Switched Data）、ＨＳＣＳＤ（高速回線交換データ：High-Speed Circuit-Switched Data）、ＵＭＴＳ（３Ｇ）（ユニバーサル・モバイル・テレコミュニケーション・システム（第３世代））、Ｗ-ＣＤＭＡ（ＵＭＴＳ）（広帯域符号分割多重アクセス（ユニバーサル・モバイル・テレコミュニケーション・システム））、ＨＳＰＡ（高速パケットアクセス：High Speed Packet Access）、ＨＳＤＰＡ（ハイスピード・ダウンリンク・パケット・アクセス）、ＨＳＵＰＡ（ハイスピード・アップリンク・パケット・アクセス）、ＨＳＰＡ＋（高速パケットアクセスプラス）、ＵＭＴＳ-ＴＤＤ（ユニバーサル・モバイル・テレコミュニケーション・システム−時分割複信）、ＴＤ-ＣＤＭＡ（時分割−符号分割多重アクセス）、ＴＤ-ＣＤＭＡ（時分割−同期符号分割多重アクセス）、ＦＯＭＡ（Freedom of Multimedia Access）、３ＧＰＰ Ｒｅｌ．８（Ｐｒｅ−４Ｇ）（第３世代パートナーシップ・プロジェクト・リリース８（プレ第４世代））、ＵＴＲＡ（UMTS 地上無線アクセス：UMTS Terrestrial Radio Access）、Ｅ-ＵＴＲＡ（発展型（Evolved） UMTS 地上無線アクセス：Evolved UMTS Terrestrial Radio Access）、ＬＴＥ アドバンスド（４Ｇ）（ロング・ターム・エボルーション・アドバンスド（第４世代））、ｃｄｍａＯｎｅ（２Ｇ）、ＣＤＭＡ２０００（３Ｇ）（符号分割多重アクセス２０００（第３世代））、ＥＶ-ＤＯ（発展型データ最適化または発展型データのみ：Evolution-Data Optimized or Evolution-Data Only）、ＡＭＰＳ（１Ｇ）（アドバンスド携帯電話システム：Advanced Mobile Phone System（第１世代））、ＴＡＣＳ/ＥＴＡＣＳ（トータルアクセス通信システム/拡大型トータルアクセス通信システム：Total Access Communication System/Extended Total Access Communication System）、Ｄ-ＡＭＰＳ（２Ｇ）（デジタルＡＭＰＳ（第２世代））、ＰＴＴ（プッシュツウトーク）、ＭＴＳ（移動電話システム：Mobile Telephone System）、ＩＭＴＳ（改良型移動電話システム：Improved Mobile Telephone System）、ＡＭＴＳ（アドバンスド移動電話システム：Advanced Mobile Telephone System）、ＯＬＴ（ノルウェー語Offentlig Landmobil Telefoni、公的陸上移動電話方式）、ＭＴＤ（スウェーデン語Mobiltelefonisystem ＤまたはMobile telephony system Dの略語）、Ａｕｔｏｔｅｌ/ＰＡＬＭ（公的自動陸上移動電話）、ＡＲＰ（フィンランド語Autoradiopuhelin「カーラジオ電話」）、ＮＭＴ（スカンジナビアの移動電話方式）、Ｈｉｃａｐ（ＮＴＴ（日本電信電話株式会社）の高容量バージョン）、ＣＤＰＤ（セルラー方式デジタルパケットデータ）、Ｍｏｂｉｔｅｘ、ＤａｔａＴＡＣ、ｉＤＥＮ（Integrated Digital Enhanced Network）、ＰＤＣ（パーソナルデジタルセルラー）、ＣＳＤ（回線交換データ：Circuit Switched Data）、ＰＨＳ（簡易型携帯電話）、ＷｉＤＥＮ（Wideband Integrated Digital Enhanced Network）、ｉＢｕｒｓｔ、無許可のモバイルアクセス（ＵＭＡ、３ＧＰＰ ジェネリックアクセスネットワーク、またはＧＡＮ規格とも呼ばれる）。
【０２０２】
いくつかの実施形態では、本方法は、無線通信プロトコルコントローラに結合されたさらなる受信器の受信器特性を、無線通信プロトコルコントローラによって制御する工程をさらに含む。
【０２０３】
いくつかの実施形態では、無線通信プロトコルコントローラは、少なくとも１つの上記無線通信技術ファミリーの少なくとも１つの無線通信技術の無線通信プロトコルであって、次の無線通信プロトコルのうちの少なくとも１つを提供することが可能である。
【０２０４】
−無線物理通信プロトコル層の無線通信プロトコル、
−媒体アクセス制御（ＭＡＣ）の無線通信プロトコル層の無線通信プロトコル、および、
−ネットワーク無線通信プロトコル層の無線通信プロトコル。
【０２０５】
いくつかの実施形態では、コグニティブパイロットチャネル受信器は、上述の、少なくとも１つの無線通信技術ファミリーの少なくとも１つの無線通信技術の少なくとも１つの無線通信プロトコルの少なくとも一部を（例えば、受信されたパイロット情報と共に、または受信されたパイロット情報とは別に）受信することが可能である。
【０２０６】
いくつかの実施形態では、本方法は、少なくとも１つの上記無線通信技術ファミリーの少なくとも１つの無線通信技術の少なくとも１つの無線通信プロトコルの少なくとも一部を実施するプログラムコードを、第１のメモリ内に格納する工程をさらに含んでいてよい。
【０２０７】
いくつかの実施形態では、本方法は、無線通信プロトコルコントローラが、受信されたコグニティブパイロットチャネル情報に基づいて、少なくとも１つの上記無線通信技術ファミリーの少なくとも１つの無線通信技術の少なくとも１つの無線通信プロトコルを提供するために用いるプログラムコードを、無線通信プロトコルコントローラに結合された作業メモリ内に格納する工程をさらに含んでいてよい。
【０２０８】
いくつかの実施形態では、無線通信プロトコルコントローラは、少なくとも１つの上記無線通信技術ファミリーの少なくとも１つの無線通信技術の少なくとも１つの無線通信プロトコルのプログラムコードの必要な分を、第１のメモリから作業メモリ内にロードすることが可能である。
【０２０９】
いくつかの実施形態では、本方法は、所定のパイロット情報だけが無線通信プロトコルコントローラに転送されるように、コグニティブパイロットチャネル受信器を制御する工程をさらに含んでいてよい。
【０２１０】
いくつかの実施形態では、所定のコグニティブパイロットチャネル情報は、他の少なくとも１つの無線通信技術ファミリー少なくとも１つの所定の無線通信技術のコグニティブパイロットチャネル情報を含んでいてよい。
【０２１１】
いくつかの実施形態では、本方法は、コグニティブパイロットチャネル受信器によって受信された信号以外の無線通信信号のために無線通信信号を走査する工程をさらに含んでいてよい。
【０２１２】
図９は、他の一実施形態に係る無線通信装置９００を示す図である。図９に示すように、無線通信装置９００は、コグニティブパイロットチャネル受信器９０２（他の一実施形態では、コグニティブパイロットチャネルトランシーバ９０２）と、コグニティブパイロットチャネル受信器９０２に結合されたコグニティブパイロットチャネル復号器９０４とを備えていてよい。
【０２１３】
無線通信装置９００は、さらに、コグニティブパイロットチャネル受信器９０２に結合され、ＣＰＣ信号を受信するように構成された少なくとも１つのＣＰＣアンテナ９０６を備えていてよい。ＣＰＣ信号は、少なくとも１つのＣＰＣアンテナ９０６およびコグニティブパイロットチャネル受信器９０２を介して受信され、受信されたＣＰＣ信号は、受信されたＣＰＣ信号のコンテキスト情報を抽出するために、例えば、コグニティブパイロットチャネル復号器９０４によって復調および分析される（通常、受信されたＣＰＣ信号は復号される）。
【０２１４】
換言すると、いくつかの実施形態では、ＣＰＣ復号器９０４は、専用の物理ＣＰＣを復号する工程に関する全てのベースバンドブロックを含んでいてよい。一例として、この復号には、受信された狭帯域ＣＰＣ信号の復調、および、コンテキスト情報の抽出などが含まれる。
【０２１５】
無線通信装置９００は、さらなるトランシーバ９０８をさらに有していてよい。また、さらなるトランシーバ９０８に結合された複数の送受信アンテナ９１０が備えられていてもよい。これら複数の送受信アンテナ９１０は、様々な無線通信技術ファミリーの設定可能な様々な無線通信技術に基づいて、無線信号を受信するように構成されている。
【０２１６】
複数の送受信アンテナ９１０およびさらなるトランシーバ９０８を介した送受信信号のパラメータ、並びにそれぞれに用いられる無線通信プロトコルのパラメータは、同じく無線通信装置９００に設けられたＳＤＲプロセッサ９１２として形成可能なプロセッサ９１２（例えばマイクロプロセッサなどのプログラマブルプロセッサ）によって、制御可能である。
【０２１７】
図９に示すように、ＳＤＲプロセッサ９１２はまた、Ｖ−ＣＰＣ復号器を備えていてもよい。このＶ−ＣＰＣは、セルラー方式広域無線通信システム（例えば３ＧＰＰＬＴＥなど）、メトロポリタンエリア無線通信システム（例えばＷｉＭＡＸ）、短距離無線通信システム（例えばＷｉＦｉ）などといった、一般に有効なデータ交換に用いられる任意の無線アクセス技術に、マッピングすることが可能である。
【０２１８】
従って、いくつかの実施形態では、ＳＤＲプロセッサ９１２が、物理層よりも上位の通信プロトコル層において好適な任意の方法でチャンネル復調および復号を行うので、さらなるベースバンド論理回路は必要ないと想定される。ＳＤＲプロセッサ９１２内で行われるＶ−ＣＰＣに関連するタスクだけが、その時に受信された対応する通信プロトコル層のフレーム構造から、Ｖ−ＣＰＣを見出して抽出することになっている。
【０２１９】
さらに、無線通信装置９００は、任意により、無線通信装置９００のユーザにユーザインターフェース（例えばグラフィカルユーザインターフェース）を提供するように構成されたユーザインターフェース９１４（例えばグラフィカルユーザインターフェースモジュール９１４）をさらに備えていてよい。ユーザインターフェース９１４は、キーボード、ディスプレイ、タッチスクリーン、マイクロホン、ラウドスピーカなどを含むが、これらに限定されることはない。
【０２２０】
いくつかの実施形態では、１つまたは複数のスイッチ９１６・９１８が備えられていてよい。スイッチ９１６・９１８は、（そのスイッチング状態に応じて）電力をコグニティブパイロットチャネル受信器９０２またはさらなるトランシーバ９０８に供給するように構成されている。
【０２２１】
また、無線通信装置９００は、例えばバッテリーなどの電源９２０、および電源のＣＴＲＬ（制御）論理回路９２２をさらに備えていてよい。電源９２０は、例えば２つのスイッチ９１６・９１８間、かつ、コグニティブパイロットチャネル受信器９０２とさらなるトランシーバ９０８との間に結合されていてよい。電源のＣＴＲＬ論理回路９２２は、例えば２つのスイッチ９１６・９１８に結合され、スイッチ９１６・９１８のスイッチングを制御している。
【０２２２】
一例として、図９に示すように、（コグニティブパイロットチャネル受信器９０２と電源９２０との間に（例えば第１のエネルギー線９２４によって）電気的に結合された）第１のスイッチ９１６が、電源のＣＴＲＬ論理回路９２２の制御によって閉じられると、コグニティブパイロットチャネル受信器９０２には電源９２０から電力が供給され、第１のスイッチ９１６が、電源のＣＴＲＬ論理回路９２２の制御によって開かれると、コグニティブパイロットチャネル受信器９０２は、電源９２０から分離（遮断）される。
【０２２３】
一実施形態では、第１のスイッチ９１６は、コグニティブパイロットチャネル復号器９０４と電源９２０との間において電気的に結合されていてもよい。この場合、コグニティブパイロットチャネル復号器９０４もまた、第１のスイッチ９１６によって、選択的に電力が供給されるかまたは電力から遮断され得る。
【０２２４】
さらに、（さらなるトランシーバ９０８と電源９２０との間に（例えば第２のエネルギー線９２６によって）電気的に結合されている）第２のスイッチ９１８が、電源のＣＴＲＬ論理回路９２２の制御によって閉じられると、さらなるトランシーバ９０８には、電源９２０から電力が供給され、第２のスイッチ９１８が、電源のＣＴＲＬ論理回路９２２の制御によって開かれると、さらなるトランシーバ９０８は、電源９２０から分離（遮断）される。
【０２２５】
一実施形態では、第２のスイッチ９１８は、ＳＤＲプロセッサ９１２と電源９２０との間に電気的に結合されていてもよい。この場合、ＳＤＲプロセッサ９１２もまた、第２のスイッチ９１８によって、選択的に電力が供給されるかまたは電力から遮断される。さらに、第２のスイッチ９１８は、ユーザインターフェース９１４と電源９２０との間に電気的に結合されていてもよい。この場合、ユーザインターフェース９１４もまた、第２のスイッチ９１８によって、選択的に電力が供給されるかまたは電力から遮断される。
【０２２６】
図９には、無線通信装置９００の各部材間のデータ転送用の接続を表すデータ接続９２８も示されている。データ接続９２８の各端部における矢印は、それぞれに接続された部材間のデータの流れに与えられた、データの流れの方向を示している。
【０２２７】
動作時において、無線通信装置９００（より正確にいうと電源のＣＴＲＬ論理回路９２２）は、ＣＰＣ信号を受信および復号した後に、無線通信装置９００の１つまたは複数の部材に、選択的に、電圧を与える、または電圧の供給を停止するので、無線通信装置９００を動作させるためのエネルギーは節約される。
【０２２８】
一例として、ＣＰＣ信号を待っている、または受信している動作の間は、コグニティブパイロットチャネル受信器９０２およびコグニティブパイロットチャネル復号器９０４が動作され、ＣＰＣ信号を受信および復号した後は、ＳＤＲプロセッサ９１２およびさらなるトランシーバ９０８も動作され、データを受信／送信するために用いられる無線通信技術を選択した後は、ずっと、ＳＤＲプロセッサ９１２およびさらなるトランシーバ９０８は、これに応じて設定され（例えば、用いられる無線通信プロトコルを実施する、実施可能な対応するプログラムコードを用いてプログラムされ）、さらなるトランシーバ９０８およびＳＤＲプロセッサ９１２を介してデータ／信号を受信／送信する間、これらの部材には電圧が継続的に与えられ、コグニティブパイロットチャネル受信器９０２およびコグニティブパイロットチャネル復号器９０４は、電圧の供給が停止され得る。
【０２２９】
一実施形態では、受信工程の開始時には、ＳＤＲプロセッサ９１２およびさらなるトランシーバ９０８への電圧の供給は、停止されてもよい。
【０２３０】
図１０は、さらに他の一実施形態に係る無線通信装置１０００を示す図である。
【０２３１】
図１０に示すように、コグニティブパイロットチャネル復号器１００４は、ＳＤＲプロセッサ１００２の一部として構成されていてよい（参照番号１００６は、コグニティブパイロットチャネル復号器１００４を実施するプロセスと、残りのＳＤＲプロセッサ１００２のプロセスとの間のプロセスインタフェースに関する）。この場合、ＳＤＲプロセッサ１００２の部分への電力の供給は、中断されるようになっており、例えば、コグニティブパイロットチャネル復号器１００４は動作しているが、ＳＤＲプロセッサ１００２の残りは電源が切られている（およびその逆もまた可能である）。
【０２３２】
コグニティブパイロットチャネル受信ユニット（例えばコグニティブパイロットチャネル受信器９０２）は、極めて遅いデータ転送速度における、極めて狭帯域専用の固定の信号伝送を行うことになっているので、いくつかの実施形態では、対応する、最適化された回路ブロックが構成されている。あるいは、再構成可能なトランシーバおよびＳＤＲプロセッサ１００２を使用することも可能であるが、この場合、ＣＰＣの構成を多少小型にすることおよび対応するブロックの消費電力を大幅に低減することが、第１の選択となろう。いくつかの実施形態では、ＣＰＣの復号が行われる間は、ＣＰＣ復号器１００４を実施するために用いられるプログラムコードだけが、ＳＤＲプロセッサ１００２内にロードされるようになっていてよい。
【０２３３】
図１０の無線通信装置１０００の残りは、図９の無線通信装置９００と同様なものである。
【０２３４】
図１１は、一実施形態に係る移動無線通信装置を制御する方法を示すフロー図１１００である。より詳細に言うと、図１１は、エアーインターフェースの選択およびコンテキスト情報の回復における決定工程を示すフロー図１１００を示す図である。
【０２３５】
図１１に示すように、データ受信工程の一実施形態によれば、１１０２において、（（例えばユーザ装置（ＵＥ）として構成された）移動無線通信端末装置２１８・２２０といった）移動無線通信端末装置が、利用可能なエアーインターフェース、並びに関連する無線アクセス技術およびプロトコルに関する知識無しに作動する。
【０２３６】
いくつかの実施形態では、電源のＣＴＲＬ論理回路（例えば電源のＣＴＲＬ論理回路９２２）は、例えば、再構成可能なトランシーバ（例えばさらなるトランシーバ９０８）、ＳＤＲプロセッサ９１２、および／またはユーザインターフェース９１４をスイッチオフする。コグニティブパイロットチャネル受信器９０２（例えばコグニティブパイロットチャネルトランシーバ９０２）およびコグニティブパイロットチャネル復号器９０４は、スイッチオンされる。
【０２３７】
次に、１１０４において、コグニティブパイロットチャネル受信器９０２は、ＣＰＣ信号が利用可能か否かを確認する。
【０２３８】
１１０４において、コグニティブパイロットチャネル受信器９０２が、ＣＰＣ信号は利用可能でないと判定すると、１１０６において、電源のＣＴＲＬ論理回路９２２は、再構成可能な（さらなる）トランシーバ９０８、ＳＤＲプロセッサ９１２、およびユーザインターフェース９１４を再びスイッチオンし、１１０８において、利用可能な無線信号を走査するための標準的な走査工程を行って、複数の周波数帯を走査して、無線信号を受信しようと試みることが可能である。
【０２３９】
１１０４において、コグニティブパイロットチャネル受信器９０２が、ＣＰＣ信号は利用可能であると判定すると、電源のＣＴＲＬ論理回路９２２は、少なくともＳＤＲプロセッサ９１２をスイッチオンすることが可能であり、コグニティブパイロットチャネル復号器９０４は、ＳＤＲプロセッサ９１２に、利用可能な無線通信システム（利用可能なセルラー方式広域無線通信システム、メトロポリタンエリア無線通信システム、および／または短距離無線通信システムなど）を伝える。
【０２４０】
一形態では、１１１０において、移動無線通信端末装置（例えばＵＥ）が、専用の物理コグニティブパイロットチャネルに関連する受信器（例えばコグニティブパイロットチャネル受信器９０２）のビルディングブロックおよびコグニティブパイロットチャネル復号器９０４のビルディングブロックを動作させる。有用なデータの交換に関連するビルディングブロック（例えばＳＤＲ−プロセッサ９１２の一部、さらなるトランシーバ９０８）は、スイッチオフされ得る。
【０２４１】
さらに、１１１２において、移動無線通信端末装置（例えばＵＥ）は、受信された専用の物理コグニティブパイロットチャネルから、コンテキスト情報を回収することが可能である。
【０２４２】
その後、１１１４において、移動無線通信端末装置（例えばＵＥ）は、ＳＤＲプロセッサ９１２および関連する（さらなる）トランシーバ９０８をスイッチオンして、コンテキスト情報をＳＤＲプロセッサ９１２に伝送することが可能である。
【０２４３】
さらに、１１１６において、電源のＣＴＲＬ論理回路９２２は、コグニティブパイロットチャネル受信器９０２およびコグニティブパイロットチャネル復号器９０４をスイッチオフすることが可能である。
【０２４４】
一実施形態では、（工程１１１６の後または工程１１０８が完了した後に行われる工程である）１１１８において、ＳＤＲプロセッサ９１２は、コグニティブパイロットチャネル復号器９０４によって伝えられた利用可能な無線通信システムの中から、好ましい無線通信システムを選択する。この選択は、一定の方針、例えばサービスプロバイダの方針、ユーザ端末の方針、またはユーザ選択の方針によって課せられる制約に応じて決定される。
【０２４５】
コグニティブパイロットチャネル復号器９０４によっては伝えられなかったが、場合によっては利用可能な無線通信システムを識別するために、任意によりさらなる走査工程を開始してもよい。一旦ＳＤＲプロセッサ９１２が好ましい無線通信システムを選択すると、これに応じて、さらなるトランシーバ９０８は、再構成され得る。
【０２４６】
一例として、１１１８において、移動無線通信端末装置（例えばＵＥ）は、例えば求められる最小限のＱｏＳ（サービスの質、つまり求められる最小限のデータ転送速度、求められる最小限の待ち時間など）を例えば最小限のコスト（消費電力、通信のために支払う代価の点など）で得ることを可能にする通信技術を、（利用可能なエアーインターフェースの中から、換言すると、様々な無線通信のファミリーのうちの利用可能な無線通信技術の中から）選択することが可能である。
【０２４７】
その後、１１２０において、移動無線通信端末装置（例えばＵＥ）は、選択されたエアーインターフェースを介して、すなわち選択された無線通信技術ファミリーのうちの選択された無線通信技術に基づいて、データを交換することが可能である。一例として、データ受信および／またはデータ送信は、好ましい無線通信システムを用いて行われてよい。
【０２４８】
例えば、１１２２において、ＳＤＲプロセッサ９１２が、異なる無線通信規格（すなわち同一または異なる無線通信技術ファミリーの異なる無線通信技術）への切替えが必要であること、またはコンテキスト情報のアップデートが望ましいことを発見すると、無線通信システムは、次の動作のうちのいずれか１つの実行を選択してよい。
【０２４９】
−ＳＤＲプロセッサ９１２が、（アップデートされた）コンテキスト情報を、Ｖ−ＣＰＣ（つまり移動無線通信端末装置（例えばＵＥ）がその時に接続されているエアーインターフェースを介して伝送されるＣＰＣ）から回収すること。移動無線通信端末装置（例えばＵＥ）が多数のエアーインターフェースに接続されている場合、Ｖ−ＣＰＣは、利用可能な各リンクのいずれかにて伝送され得る。
【０２５０】
−ＳＤＲプロセッサ９１２が、コグニティブパイロットチャネル受信器９０２およびコグニティブパイロットチャネル復号器９０４を再動作させて、専用の物理コグニティブパイロットチャネルを介して利用可能な無線通信システムに関する情報をアップデートする。
【０２５１】
一形態では、１１２２において、コンテキスト情報のアップデートが必要であると判定された場合、１１２４において、Ｖ−ＣＰＣが利用可能であるか否かが判定される。Ｖ−ＣＰＣが利用可能でない場合、本プロセスは、専用ＣＰＣが利用可能であるか否かが判定される１１０４に引き継がれる。
【０２５２】
しかし、１１２４において、Ｖ−ＣＰＣが利用可能であると判定された場合、その後、１１２６において、アップデートされたコンテキスト情報が、その時のエアーインターフェースフレーム構造内に含まれるＶ−ＣＰＣに基づいて、回収され得る。その後、本プロセスは、１１１８に引き継がれる。
【０２５３】
さらに、他の一実施形態では、Ｖ−ＣＰＣだけが存在している（および専用の物理ＣＰＣが存在していない）場合、コンテキスト情報を得るための唯一の方法は、利用可能なエアーインターフェースを走査する工程と、Ｖ−ＣＰＣへのアクセスとを含んでいてよい。この場合、上述の、専用の物理ＣＰＣに関連するプロセスステップは、省略してもよい。
【０２５４】
いくつかの実施形態は、移動無線通信端末装置（例えばＵＥ）および関連する動作プロセスにおける、ＣＰＣに関連するビルディングブロックの構成に関する。この構成は次の通りである。
【０２５５】
−図９に関連して説明したいくつかの実施形態に記載のＣＰＣに関連するビルディングブロックの構成であって、ＣＰＣ復号器９０４は、独立型のビルディングブロックである構成。
【０２５６】
−図１０に関連して説明したいくつかの実施形態に記載のＣＰＣに関連するビルディングブロックの構成であって、ＣＰＣ復号器１００４は、ＳＤＲプロセッサ１００２に集積されている構成。ＣＰＣ復号工程には、必要に応じて、ＳＤＲリソースが割当てられてよい。
【０２５７】
いくつかの実施形態では、様々なエアーインターフェース（例えばセルラー方式広域無線通信システム、メトロポリタン無線通信システム、および短距離無線通信システムなど）によって施設されている多数の移動無線セルも、コンテキスト情報をブロードキャストする専用の物理パイロットチャネルの対象になっている。このような状況は、図１に示されている。その後、例えば図９に示した（あるいは図１０に示した）、構成アーキテクチャに基づいたユーザ移動無線通信端末装置は、次のプロセスに基づいて、各無線通信システムにアクセスする。
【０２５８】
−移動無線通信端末装置（例えばＵＥ）が、ＣＰＣに関連する受信器（例えばコグニティブパイロットチャネル受信器９０２）のブロックおよび復号器（例えばコグニティブパイロットチャネル復号器９０４）のブロックを動作させ、コンテキスト情報を回収する。電力を節約するために、ＳＤＲに関連するトランシーバ（例えばさらなるトランシーバ９０８）およびＳＤＲプロセッサ９１２はスイッチオフされ得る。
【０２５９】
−移動無線通信端末装置（例えばＵＥ）が、ＳＤＲプロセッサ９１２および対応するさらなるトランシーバ９０８をスイッチオンして、コンテキスト情報をＳＤＲプロセッサ９１２に伝送することが可能である。
【０２６０】
−移動無線通信端末装置（例えばＵＥ）が、ＣＰＣに関連する受信器（例えばコグニティブパイロットチャネル受信器９０２）のブロックおよび復号器（例えばコグニティブパイロットチャネル復号器９０４）のブロックをスイッチオフすることが可能である。
【０２６１】
−移動無線通信端末装置（例えばＵＥ）が、コンテキスト情報に基づいて、利用可能なエアーインターフェースの中から１つのエアーインターフェースを選択することが可能である。一実施形態では、移動無線通信端末装置（例えばＵＥ）は、求められる最小限のＱｏＳ（サービスの質、つまり求められる最小限のデータ転送速度、求められる最小限の待ち時間など）を例えば最小限のコスト（消費電力、通信のために支払う代価の点など）で得ることを可能にするエアーインターフェースを選択可能である。移動無線通信端末装置（例えばＵＥ）は、選択したエアーインターフェースを介した通信を開始してよい。
【０２６２】
−移動無線通信端末装置（例えばＵＥ）が、（アップデートされた）コンテキスト情報を回収することを決定するならば、該コンテキスト情報は、その時に起動しているエアーインターフェース接続を介して、Ｖ−ＣＰＣに接続可能である。このようなＶ−ＣＰＣが利用可能でないならば、コンテキスト情報を回収するために、ＣＰＣに関連する受信器（例えばコグニティブパイロットチャネル受信器９０２）のブロックおよび復号器（例えばコグニティブパイロットチャネル復号器９０４）のブロックは再びスイッチオンされ、該コンテキスト情報がＳＤＲプロセッサ９１２に利用可能になるとすぐに、再びスイッチオフされ得る。可能ならば、このプロセスの間、ＳＤＲプロセッサ９１２および関連するさらなるトランシーバ９０８は、スイッチオフされていてよい。
【０２６３】
本発明を、特定の実施形態を参照しながら、具体的に図示すると共に説明してきたが、添付の特許請求の範囲によって定義する本発明の原理および範囲から逸脱しない範囲内にて、形態および詳細に様々な変形を加えてもよいことは、当業者には明らかであろう。従って、本発明の範囲は、添付の特許請求の範囲によって示され、従って、当該特許請求の範囲と等しい意味および範囲内にある全ての変形は、本発明に包含されるものであることを意図するものである。
【図１】
2010220210.tif 000003
【図２】
2010220210.tif 000004
【図３】
2010220210.tif 000005
【図４】
2010220210.tif 000006
【図５】
2010220210.tif 000007
【図６】
2010220210.tif 000008
【図７】
2010220210.tif 000009
【図８】
2010220210.tif 000010
【図９】
2010220210.tif 000011
【図１０】
2010220210.tif 000012
【図１１】
2010220210.tif 000013